(57)【特許請求の範囲】
【請求項１】
回転式の操作ダイヤルと、
前記操作ダイヤルの回転中心に備えられ、前記操作ダイヤルの回転中心への接触を検出する接触検出部と、
前記接触検出部によって接触が検出されるたびに、前記操作ダイヤルによる設定値の変更の有効と無効とを交互に切り替える切替部と、
設定値の変更が有効な場合に、前記操作ダイヤルの操作に応じて、設定値を変更する設定値変更部と、
前記操作ダイヤルの近傍に備えられた表示部と、
前記操作ダイヤルで設定される設定値を前記表示部に表示する表示制御部と、
前記操作ダイヤルの天面に備えられたダイヤル表示部と、
前記操作ダイヤルで設定される項目の情報を前記ダイヤル表示部に表示するダイヤル表示制御部と、
を備え、
前記接触検出部で接触が検出された場合、かつ、前記操作ダイヤルによる設定値の変更が有効な場合、前記ダイヤル表示制御部は、接触された領域を避けて、前記操作ダイヤルで設定される項目の情報を前記ダイヤル表示部に表示する、
カメラ。
【請求項２】
前記ダイヤル表示制御部は、前記操作ダイヤルによる設定値の変更が有効な場合と無効な場合とで前記ダイヤル表示部への前記情報の表示形態を切り替える、
請求項１に記載のカメラ。
【請求項３】
前記ダイヤル表示制御部は、前記操作ダイヤルによる設定値の変更が有効な場合と無効な場合とで前記ダイヤル表示部の前記情報の表示色を反転させる、
請求項２に記載のカメラ。
【請求項４】
前記表示制御部は、前記操作ダイヤルによる設定値の変更が無効な場合、前記操作ダイヤルによる設定値の変更が無効であることを示す情報を前記表示部に表示する、
請求項１から３のいずれか１項に記載のカメラ。
【請求項５】
前記操作ダイヤルによって設定する項目を選択する設定項目選択部と、
前記設定項目選択部による選択結果に応じて、前記操作ダイヤルによって設定する項目を設定する設定項目設定部と、
を更に備えた請求項１から４のいずれか１項に記載のカメラ。
【請求項６】
前記操作ダイヤルによって設定する項目の切り替えを指示する設定項目切替指示部と、
前記設定項目切替指示部による指示に応じて、前記操作ダイヤルによって設定する項目を設定する設定項目設定部と、
を更に備えた請求項１から３のいずれか１項に記載のカメラ。
【請求項７】
前記接触検出部は、更に前記操作ダイヤルの天面をスワイプ又はフリックする操作を検出し、
前記設定項目切替指示部は、前記接触検出部によって検出されるスワイプ操作又はフリック操作に応じて、前記操作ダイヤルによって設定する項目の切り替えを指示する、
請求項６に記載のカメラ。
【請求項８】
回転式の操作ダイヤルと、
前記操作ダイヤルの回転中心に備えられ、前記操作ダイヤルの回転中心への接触を検出する接触検出部と、
前記接触検出部によって接触が検出されるたびに、前記操作ダイヤルによる設定値の変更の有効と無効とを交互に切り替える切替部と、
設定値の変更が有効な場合に、前記操作ダイヤルの操作に応じて、設定値を変更する設定値変更部と、
前記操作ダイヤルの近傍に備えられた表示部と、
前記表示部の表示を制御して、既定の情報を前記表示部に表示する表示制御部と、
前記操作ダイヤルの天面に備えられたダイヤル表示部と、
前記ダイヤル表示部の表示を制御して、既定の情報を前記ダイヤル表示部に表示するダイヤル表示制御部と、
を備え、
前記接触検出部で接触が検出された場合、かつ、前記操作ダイヤルによる設定値の変更が有効な場合、前記ダイヤル表示制御部は、接触された領域を避けて、既定の情報を前記ダイヤル表示部に表示する、
カメラ。
【請求項９】
前記ダイヤル表示制御部は、前記接触検出部によって接触が検出されている間、前記ダイヤル表示部の色又は明るさを変更する、
請求項８に記載のカメラ。
【請求項１０】
前記ダイヤル表示部に表示する情報は、前記操作ダイヤルで設定される項目の設定値である、
請求項８又は９に記載のカメラ。
【請求項１１】
前記ダイヤル表示部に表示する情報は、前記操作ダイヤルで設定される項目の情報、及び、前記操作ダイヤルで設定される設定値である、
請求項８又は９に記載のカメラ。
【請求項１２】
前記表示部に表示する情報は、前記操作ダイヤルで設定される項目を除いたカメラの設定内容である、
請求項８から１１のいずれか１項に記載のカメラ。
【請求項１３】
前記操作ダイヤルによって設定する項目を選択する設定項目選択部と、
前記設定項目選択部による選択結果に応じて、前記操作ダイヤルによって設定する項目を設定する設定項目設定部と、
を更に備えた請求項８から１２のいずれか１項に記載のカメラ。
【請求項１４】
前記操作ダイヤルによって設定する項目の切り替えを指示する設定項目切替指示部と、
前記設定項目切替指示部による指示に応じて、前記操作ダイヤルによって設定する項目を設定する設定項目設定部と、
を更に備えた請求項８から１３のいずれか１項に記載のカメラ。
【請求項１５】
前記接触検出部は、更に前記操作ダイヤルの天面をスワイプ又はフリックする操作を検出し、
前記設定項目切替指示部は、前記接触検出部によって検出されるスワイプ操作又はフリック操作に応じて、前記操作ダイヤルによって設定する項目の切り替えを指示する、
請求項１４に記載のカメラ。
【請求項１６】
前記操作ダイヤルと前記表示部とが、カメラボディの天面に配置される、
請求項１から１５のいずれか１項に記載のカメラ。
【請求項１７】
前記操作ダイヤルが、前記カメラボディのグリップ部側の端部に配置される、
請求項１６に記載のカメラ。
【請求項１８】
回転式の操作ダイヤルの回転中心への指の接触を検出し、
前記操作ダイヤルの回転中心への指の接触が検出されるたびに、前記操作ダイヤルによる設定値の変更の有効と無効とを交互に切り替え、
前記操作ダイヤルによる設定値の変更が有効な場合に、前記操作ダイヤルの操作に応じて、設定値を変更し、かつ、前記操作ダイヤルで設定される設定値を前記操作ダイヤルの近傍に備えられた表示部に表示し、
前記操作ダイヤルで設定される項目の情報を前記操作ダイヤルの天面に備えられたダイヤル表示部に表示し、
前記操作ダイヤルの回転中心への指の接触が検出された場合、かつ、前記操作ダイヤルによる設定値の変更が有効な場合、指が接触された領域を避けて、前記操作ダイヤルで設定される項目の情報を前記ダイヤル表示部に表示する、
カメラの設定方法。
【請求項１９】
回転式の操作ダイヤルの回転中心への指の接触を検出し、
前記操作ダイヤルの回転中心への指の接触が検出されるたびに、前記操作ダイヤルによる設定値の変更の有効と無効とを交互に切り替え、
既定の情報を前記操作ダイヤルの天面に備えられたダイヤル表示部に表示し、前記操作ダイヤルの回転中心への指の接触が検出された場合、かつ、前記操作ダイヤルによる設定値の変更が有効な場合、指が接触された領域を避けて前記情報を前記ダイヤル表示部に表示する、
カメラの設定方法。
【請求項２０】
回転式の操作ダイヤルの回転中心に備えられた接触検出部からの出力に基づいて、前記操作ダイヤルの回転中心への指の接触の有無を判定する機能と、
前記操作ダイヤルの回転中心への指の接触が検出されるたびに、前記操作ダイヤルによる設定値の変更の有効と無効とを交互に切り替える機能と、
前記操作ダイヤルによる設定値の変更が有効な場合に、前記操作ダイヤルの操作に応じて、設定値を変更する機能と、
前記操作ダイヤルで設定される設定値を前記操作ダイヤルの近傍に備えられた表示部に表示する機能と、
前記操作ダイヤルで設定される項目の情報を前記操作ダイヤルの天面に備えられたダイヤル表示部に表示する機能と、
前記操作ダイヤルの回転中心への指の接触が検出された場合、かつ、前記操作ダイヤルによる設定値の変更が有効な場合、指が接触された領域を避けて、前記操作ダイヤルで設定される項目の情報を前記ダイヤル表示部に表示する機能と、
をコンピュータに実現させるカメラの設定プログラム。
【請求項２１】
回転式の操作ダイヤルの回転中心に備えられた接触検出部からの出力に基づいて、前記操作ダイヤルの回転中心への指の接触の有無を判定する機能と、
前記操作ダイヤルの回転中心への指の接触が検出されるたびに、前記操作ダイヤルによる設定値の変更の有効と無効とを交互に切り替える機能と、
前記操作ダイヤルによる設定値の変更が有効な場合に、前記操作ダイヤルの操作に応じて、設定値を変更する機能と、
既定の情報を前記操作ダイヤルの天面に備えられたダイヤル表示部に表示し、前記操作ダイヤルの回転中心への指の接触が検出された場合、かつ、前記操作ダイヤルによる設定値の変更が有効な場合、指が接触された領域を避けて前記情報を前記ダイヤル表示部に表示する機能と、
をコンピュータに実現させるカメラの設定プログラム。
【発明の詳細な説明】
【技術分野】
【０００１】
本発明は、回転式の操作ダイヤルを備えたカメラ、カメラの設定方法、及び、カメラの設定プログラムに関する。
【背景技術】
【０００２】
シャッタースピード、感度、露出補正値、モード等の各種条件を回転式の操作ダイヤルで設定するカメラが知られている。【０００３】
特許文献１には、カメラに備えられる回転式の操作ダイヤルとして、天面に表示部を備えた操作ダイヤルが記載されている。この操作ダイヤルでは、操作に応じて、表示部の表示が切り替えられる。また、特許文献２には、天面に表示部及びタッチパネルを備えた操作ダイヤルが記載されている。この操作ダイヤルでは、タッチパネルへのタッチ操作によって、表示部の表示が切り替えられる。【０００４】
ところで、回転式の操作ダイヤルは、意図せずに回転させてしまうことがあり、ユーザーが気づかない間に設定が変更してしまっている場合がある。【０００５】
このような不具合を解消するために、ロック機構を備えた操作ダイヤルも提案されている。たとえば、特許文献３及び４には、軸の回転をメカニカルにロックする機構を備えた操作ダイヤルが提案されている。【０００６】
また、特許文献５には、操作ダイヤルが回転操作された場合であっても、設定が変更しないように、設定の変更を禁止する手段を備えたカメラが提案されている。
【先行技術文献】
【特許文献】
【０００７】
【特許文献１】特開2008-165118号公報
【特許文献２】特開2014-202837号公報
【特許文献３】特開平7-134320号公報
【特許文献４】特開2015-125307号公報
【特許文献５】特開2002-277919号公報
【発明の概要】
【発明が解決しようとする課題】
【０００８】
しかしながら、特許文献３及び４のように、軸の回転をメカニカルにロックする機構を備えると、操作ダイヤルの構造が複雑になるという欠点がある。特に、天面に表示部を備えた操作ダイヤルでは、電子化によって機構を単純化して壊れにくくしたり、コストを下げたりすることが目的なので、メカニカルにロックする機構を追加すると、電子化の効果が損なわれるという欠点がある。【０００９】
また、特許文献５のように、設定の変更を禁止する手段を操作ダイヤルとは別に設けて、操作ダイヤルによる設定の変更を禁止する構成とすると、操作性が低下するという欠点がある。【００１０】
本発明は、このような事情に鑑みてなされたもので、簡素な構成で誤操作を防止でき、かつ、操作性の高いカメラ、カメラの設定方法、及び、カメラの設定プログラムを提供することを目的とする。
【課題を解決するための手段】
【００１１】
上記課題を解決するための手段は、次のとおりである。【００１２】
（１）回転式の操作ダイヤルと、操作ダイヤルの天面に備えられ、接触を検出する接触検出部と、接触検出部の検出結果に応じて、操作ダイヤルによる設定値の変更の有効と無効とを切り替える切替部と、設定値の変更が有効な場合に、操作ダイヤルの操作に応じて、設定値を変更する設定値変更部と、操作ダイヤルの近傍に備えられた表示部と、操作ダイヤルで設定される設定値を表示部に表示する表示制御部と、を備えたカメラ。【００１３】
本態様によれば、操作ダイヤルの天面に接触検出部が備えられ、その接触検出部の検出結果に応じて、操作ダイヤルによる設定値の変更の有効と無効とが切り替えられる。そして、設定値の変更が有効な場合にのみ、操作ダイヤルによる操作が可能になる。すなわち、設定値の変更が有効な場合にのみ、設定値の変更が許容される。設定値の変更が無効な場合は、操作ダイヤルを操作しても、設定値は変更されない。操作ダイヤルで設定される項目の設定値は、操作ダイヤルの近傍に備えられた表示部に表示される。したがって、表示部の表示を確認することによって、設定を確認できる。【００１４】
（２）接触検出部は、操作ダイヤルの回転中心への接触を検出する、上記（１）のカメラ。【００１５】
本態様によれば、接触検出部が操作ダイヤルの回転中心への接触を検出する。これにより、意図せずに設定が変わってしまうのを有効に防止できる。すなわち、中心部分に触れながら操作した場合にのみ操作が有効になるので、誤動作を有効に防止できる。また、接触を検出する領域が、操作ダイヤルの中心部分なので、良好な操作性も確保できる。すなわち、他の位置は手さぐりで探すことはできないが、回転中心の位置は、手さぐりでも探し出せる。このため、暗い環境で操作する場合、ファインダーを覗きながら操作する場合等において、特に良好な操作性を確保できる。【００１６】
（３）切替部は、接触検出部によって接触が検出されている間、操作ダイヤルによる設定値の変更を有効にする、上記（１）のカメラ。【００１７】
本態様によれば、接触検出部によって接触が検出されている間、操作ダイヤルによる設定値の変更が有効にされる。したがって、天面に触れながら操作ダイヤルを操作した場合にのみ操作が有効になり、設定値を変更できる。天面に触れずに操作ダイヤルを操作した場合は、操作は無効とされ、設定値は変更されない。【００１８】
（４）切替部は、接触検出部によって接触が検出されるたびに、操作ダイヤルによる設定値の変更の有効と無効とを交互に切り替える、上記（１）のカメラ。【００１９】
本態様によれば、接触検出部によって接触が検出されるたびに、操作ダイヤルによる設定値の変更の有効と無効とが交互に切り替えられる。すなわち、接触検出部がトグル式のスイッチとして機能し、天面に触れるたびに、操作ダイヤルによる設定値の変更の有効と無効とが交互に切り替えられる。【００２０】
（５）操作ダイヤルの天面に備えられたダイヤル表示部と、操作ダイヤルで設定される項目の情報をダイヤル表示部に表示するダイヤル表示制御部と、を更に備えた上記（１）から（４）のいずれか１のカメラ。【００２１】
本態様によれば、操作ダイヤルの天面にダイヤル表示部が備えられる。ダイヤル表示部には、操作ダイヤルで設定される項目の情報が表示される。たとえば、操作ダイヤルで設定される項目がシャッタースピードである場合、シャッタースピードが変更されることを示す情報が表示される。この情報は、文字、図形、記号等で表わされる。たとえば、操作ダイヤルで設定される項目がシャッタースピードである場合、「ＳＨＵＴＴＥＲ」、「Ｓ」等が表示される。【００２２】
（６）ダイヤル表示制御部は、操作ダイヤルによる設定値の変更が有効な場合と無効な場合とでダイヤル表示部への情報の表示形態を切り替える、上記（５）のカメラ。【００２３】
本態様によれば、操作ダイヤルによる設定値の変更が有効な場合と無効な場合とでダイヤル表示部への情報の表示形態が切り替えられる。たとえば、有効な場合と無効な場合とで表示色が切り替えられたり、反転されたり、明るさが切り替えられたりする。これにより、操作ダイヤルによる設定値の変更が、有効か否かを一目で認識できる。【００２４】
（７）ダイヤル表示制御部は、操作ダイヤルによる設定値の変更が有効な場合と無効な場合とでダイヤル表示部の情報の表示色を反転させる、上記（６）のカメラ。【００２５】
本態様によれば、操作ダイヤルによる設定値の変更が有効な場合と無効な場合とでダイヤル表示部の情報の表示色が反転される。これにより、操作ダイヤルによる設定値の変更が有効か否かを一目で認識できる。【００２６】
（８）表示制御部は、操作ダイヤルによる設定値の変更が無効な場合、操作ダイヤルによる設定値の変更が無効であることを示す情報を表示部に表示する、上記（１）から（７）のいずれか１のカメラ。【００２７】
本態様によれば、操作ダイヤルによる設定値の変更が無効な場合、操作ダイヤルによる設定値の変更が無効であることを示す情報が表示部に表示される。たとえば、「ＬＯＣＫ」という文字が表示部に表示される。これにより、表示部の表示からも操作ダイヤルによる設定値の変更が有効か否かを一目で認識できる。【００２８】
（９）操作ダイヤルによって設定する項目を選択する設定項目選択部と、設定項目選択部による選択結果に応じて、操作ダイヤルによって設定する項目を設定する設定項目設定部と、を更に備えた上記（１）から（８）のいずれか１のカメラ。【００２９】
本態様によれば、操作ダイヤルによって設定する項目を選択できる。これにより、１つの操作ボタンで複数の項目を設定できる。【００３０】
（１０）操作ダイヤルによって設定する項目の切り替えを指示する設定項目切替指示部と、設定項目切替指示部による指示に応じて、操作ダイヤルによって設定する項目を設定する設定項目設定部と、を更に備えた上記（５）から（７）のいずれか１のカメラ。【００３１】
本態様によれば、操作ダイヤルによって設定する項目を切り替えられる。これにより、１つの操作ボタンで複数の項目を設定できる。【００３２】
（１１）接触検出部は、更に操作ダイヤルの天面をスワイプ又はフリックする操作を検出し、設定項目切替指示部は、接触検出部によって検出されるスワイプ操作又はフリック操作に応じて、操作ダイヤルによって設定する項目の切り替えを指示する、上記（１０）のカメラ。【００３３】
本態様によれば、操作ダイヤルの天面をスワイプ又はフリックする操作によって、操作ダイヤルによって設定する項目を切り替えられる。これにより、簡単に切り替えができる。ここで、スワイプする操作とは、天面に指を触れたまま特定の方向に撫でるように動かす操作のことをいう。また、フリックとは、天面に指を触れた後、弾くように動かす操作のことをいう。【００３４】
（１２）接触検出部で接触が検出された場合、ダイヤル表示制御部は、接触された領域を避けて、操作ダイヤルで設定される項目の情報をダイヤル表示部に表示する、上記（５）のカメラ。【００３５】
本態様によれば、天面への接触が検出されている場合、接触されている領域を避けて、操作ダイヤルで設定される項目の情報がダイヤル表示部に表示される。これにより、天面に触れる指によって、ダイヤル表示部に表示される情報が隠れて見えなくなるのを防止できる。【００３６】
（１３）回転式の操作ダイヤルと、操作ダイヤルの天面に備えられ、接触を検出する接触検出部と、接触検出部の検出結果に応じて、操作ダイヤルによる設定値の変更の有効と無効とを切り替える切替部と、設定値の変更が有効な場合に、操作ダイヤルの操作に応じて、設定値を変更する設定値変更部と、操作ダイヤルの近傍に備えられた表示部と、表示部の表示を制御して、既定の情報を表示部に表示する表示制御部と、操作ダイヤルの天面に備えられたダイヤル表示部と、ダイヤル表示部の表示を制御して、既定の情報をダイヤル表示部に表示するダイヤル表示制御部と、を備えたカメラ。【００３７】
本態様によれば、操作ダイヤルの天面に接触検出部が備えられ、その接触検出部の検出結果に応じて、操作ダイヤルによる設定値の変更の有効と無効とが切り替えられる。そして、設定値の変更が有効な場合にのみ、操作ダイヤルによる操作が可能になる。すなわち、設定値の変更が有効な場合にのみ設定値の変更が許容される。設定値の変更が無効な場合は、操作ダイヤルを操作しても、設定値は変更されない。操作ダイヤルの天面にはダイヤル表示部が備えられ、既定の情報が表示される。また、操作ダイヤルの近傍には表示部が備えられ、既定の情報が表示される。このダイヤル表示部及び表示部の表示を確認することにより、各種情報を確認できる。【００３８】
（１４）接触検出部は、操作ダイヤルの回転中心への接触を検出する、上記（１３）のカメラ。【００３９】
本態様によれば、接触検出部が操作ダイヤルの回転中心への接触を検出する。これにより、意図せずに設定が変わってしまうのを有効に防止できる。すなわち、中心部分に触れながら操作した場合にのみ操作が有効になるので、誤動作を有効に防止できる。また、接触を検出する領域が、操作ダイヤルの中心部分なので、良好な操作性も確保できる。すなわち、他の位置は手さぐりで探すことはできないが、回転中心の位置は、手さぐりでも探し出せる。このため、暗い環境で操作する場合、ファインダーを覗きながら操作する場合等において、特に良好な操作性を確保できる。【００４０】
（１５）切替部は、接触検出部によって接触が検出されている間、操作ダイヤルによる設定値の変更を有効にする、上記（１３）のカメラ。【００４１】
本態様によれば、接触検出部によって接触が検出されている間、操作ダイヤルによる設定値の変更が有効にされる。したがって、天面に触れながら操作ダイヤルを操作した場合にのみ操作が有効になり、設定値を変更できる。天面に触れずに操作ダイヤルを操作した場合は、操作は無効とされ、設定値は変更されない。【００４２】
（１６）切替部は、接触検出部によって接触が検出されるたびに、操作ダイヤルによる設定値の変更の有効と無効とを交互に切り替える、上記（１３）のカメラ。【００４３】
本態様によれば、接触検出部によって接触が検出されるたびに、操作ダイヤルによる設定値の変更の有効と無効とが交互に切り替えられる。すなわち、接触検出部がトグル式のスイッチとして機能し、天面に触れるたびに、操作ダイヤルによる設定値の変更の有効と無効とが交互に切り替えられる。【００４４】
（１７）表示制御部は、接触検出部によって接触が検出されている間、ダイヤル表示部に表示する情報を表示部に表示する、上記（１３）から（１６）のいずれか１のカメラ。【００４５】
本態様によれば、接触検出部によって接触が検出されている間、ダイヤル表示部に表示する情報が、表示部に表示される。たとえば、ダイヤル表示部に表示する情報が、操作ダイヤルで設定される項目の設定値であるとする。この場合、接触検出部によって接触が検出されている間、その設定値の情報が、表示部に表示される。接触検出部によって接触が検出されている状況とは、ダイヤル表示部に指が触れている状況なので、ダイヤル表示部の表示が指で見えにくくなる。そこで、本態様では、接触検出部によって接触が検出されている間は、ダイヤル表示部に表示すべき情報を操作ダイヤル近傍の表示部に表示する。これにより、良好な操作性を確保できる。【００４６】
（１８）表示制御部は、接触検出部によって接触が検出されている間、表示部に表示する情報に代えて、ダイヤル表示部に表示する情報を表示部に表示する、上記（１７）のカメラ。【００４７】
本態様によれば、接触検出部によって接触が検出されている間だけ、本来、表示部に表示すべきとされる情報に代えて、ダイヤル表示部に表示する情報が表示部に表示される。たとえば、ダイヤル表示部に表示する情報が、操作ダイヤルで設定される項目の設定値であり、表示部に表示する情報が、操作ダイヤルで設定される項目を除いたカメラの設定内容の情報であるとする。この場合、接触検出部によって接触が検出されている間、カメラの設定内容の情報が消され、操作ダイヤルで設定される項目の設定値の情報が表示部に表示される。これにより、操作中もダイヤル表示部に表示すべき情報の内容を確認できる。【００４８】
（１９）表示制御部は、接触検出部によって接触が検出されている間、表示部に表示する情報に加えて、ダイヤル表示部に表示する情報を表示部に表示する、上記（１７）のカメラ。【００４９】
本態様によれば、接触検出部によって接触が検出されている間、ダイヤル表示部に表示する情報が表示部に表示される。この際、本来、表示部に表示すべきとされる情報に加えて、ダイヤル表示部に表示する情報が、表示部に表示される。たとえば、ダイヤル表示部に表示する情報が、操作ダイヤルで設定される項目の設定値であり、表示部に表示する情報が、操作ダイヤルで設定される項目を除いたカメラの設定内容の情報であるとする。この場合、接触検出部によって接触が検出されている間、操作ダイヤルで設定される項目の設定値の情報を加えたカメラの設定内容の情報が表示部に表示される。これにより、操作中もダイヤル表示部に表示すべき情報の内容を確認できる。【００５０】
（２０）ダイヤル表示制御部は、接触検出部によって接触が検出されている間、ダイヤル表示部の色又は明るさを変更する、あるいは、表示を消去する、上記（１７）から（１９）のいずれか１のカメラ。【００５１】
本態様によれば、接触検出部によって接触が検出されている間、ダイヤル表示部の色又は明るさが変更される。あるいは、ダイヤル表示部の表示が消去される。これにより、天面に指が触れられていることを容易に確認できる。【００５２】
（２１）接触検出部で接触が検出された場合、ダイヤル表示制御部は、接触された領域を避けて、既定の情報をダイヤル表示部に表示する、上記（１３）から（１６）のいずれか１のカメラ。【００５３】
本態様によれば、天面への接触が検出されている場合、接触されている領域を避けて、既定の情報がダイヤル表示部に表示される。これにより、天面に触れる指によって、ダイヤル表示部に表示される情報が隠れて見えなくなるのを防止できる。【００５４】
（２２）ダイヤル表示制御部は、接触検出部によって接触が検出されている間、ダイヤル表示部の色又は明るさを変更する、上記（２１）のカメラ。【００５５】
本態様によれば、接触検出部によって接触が検出されている間、ダイヤル表示部の色又は明るさが変更される。これにより、天面に指が触れられていることを容易に確認できる。【００５６】
（２３）ダイヤル表示部に表示する情報は、操作ダイヤルで設定される項目の設定値である、上記（１３）から（２２）のいずれか１のカメラ。【００５７】
本態様によれば、操作ダイヤルで設定される項目の設定値が、ダイヤル表示部に表示される。これにより、ダイヤル表示部の表示から操作ダイヤルで設定される項目の設定値を確認できる。また、ダイヤル表示部の表示を確認することにより、操作ダイヤルで設定可能な項目を把握できる。これにより、直感的な操作性を提供できる。【００５８】
（２４）ダイヤル表示部に表示する情報は、操作ダイヤルで設定される項目の情報、及び、操作ダイヤルで設定される設定値である、上記（１３）から（２２）のいずれか１のカメラ。【００５９】
本態様によれば、操作ダイヤルで設定される項目、及び、その設定値が、ダイヤル表示部に表示される。たとえば、操作ダイヤルで設定される項目がシャッタースピードである場合、シャッタースピードが変更されることを示す情報が表示される。この情報は、文字、図形、記号等で表わされる。たとえば、操作ダイヤルで設定される項目がシャッタースピードである場合、「ＳＨＵＴＴＥＲ」、「Ｓ」等が表示される。これにより、操作ダイヤルで設定できる項目を容易に確認できる。【００６０】
（２５）表示部に表示する情報は、操作ダイヤルで設定される項目を除いたカメラの設定内容である、上記（１３）から（２４）のいずれか１のカメラ。【００６１】
本態様によれば、操作ダイヤルで設定される項目を除いたカメラの設定内容が、表示部に表示される。したがって、表示部の表示を確認することにより、他の項目の設定を確認できる。カメラの設定内容とは、撮影に際して設定される各種情報のことである。たとえば、シャッタースピード、絞り値（Ｆ値）、感度、撮影モード等の情報である。【００６２】
（２６）操作ダイヤルによって設定する項目を選択する設定項目選択部と、設定項目選択部による選択結果に応じて、操作ダイヤルによって設定する項目を設定する設定項目設定部と、を更に備えた上記（１３）から（２５）のいずれか１のカメラ。【００６３】
本態様によれば、操作ダイヤルによって設定する項目を選択できる。これにより、１つの操作ボタンで複数の項目を設定できる。【００６４】
（２７）操作ダイヤルによって設定する項目の切り替えを指示する設定項目切替指示部と、設定項目切替指示部による指示に応じて、操作ダイヤルによって設定する項目を設定する設定項目設定部と、を更に備えた上記（１３）から（２６）のいずれか１のカメラ。【００６５】
本態様によれば、操作ダイヤルによって設定する項目を切り替えられる。これにより、１つの操作ボタンで複数の項目を設定できる。【００６６】
（２８）接触検出部は、更に操作ダイヤルの天面をスワイプ又はフリックする操作を検出し、設定項目切替指示部は、接触検出部によって検出されるスワイプ操作又はフリック操作に応じて、操作ダイヤルによって設定する項目の切り替えを指示する、上記（２７）のカメラ。【００６７】
本態様によれば、操作ダイヤルの天面をスワイプ又はフリックする操作によって、操作ダイヤルによって設定する項目を切り替えられる。これにより、簡単に切り替えができる。【００６８】
（２９）操作ダイヤルと表示部とが、カメラボディの天面に配置される、上記（１）から（２８）のいずれか１のカメラ。【００６９】
本態様によれば、操作ダイヤルと表示部とが、カメラボディの天面（いわゆる軍艦部）に配置される。【００７０】
（３０）操作ダイヤルが、カメラボディのグリップ部側の端部に配置される、上記（２９）のカメラ。【００７１】
本態様によれば、操作ダイヤルが、カメラボディのグリップ部側の端部に配置される。これにより、グリップしながら操作ダイヤルを操作できる。【００７２】
（３１）回転式の操作ダイヤルの天面への指の接触を検出し、操作ダイヤルの天面への指の接触が検出されている間、操作ダイヤルによる設定値の変更を有効にし、操作ダイヤルによる設定値の変更が有効な場合に、操作ダイヤルの操作に応じて、設定値を変更し、かつ、操作ダイヤルで設定される設定値を操作ダイヤルの近傍に備えられた表示部に表示する、カメラの設定方法。【００７３】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルで設定される項目の設定値は、操作ダイヤルの近傍に備えられた表示部に表示される。したがって、表示部の表示を確認することにより、設定を確認できる。【００７４】
（３２）回転式の操作ダイヤルの天面への指の接触を検出し、操作ダイヤルの天面への指の接触が検出されるたびに、操作ダイヤルによる設定値の変更の有効と無効とを交互に切り替え、操作ダイヤルによる設定値の変更が有効な場合に、操作ダイヤルの操作に応じて、設定値を変更し、かつ、操作ダイヤルで設定される設定値を操作ダイヤルの近傍に備えられた表示部に表示する、カメラの設定方法。【００７５】
本態様によれば、操作ダイヤルの天面に指を触れるたびに、操作ダイヤルによる操作の有効と無効とが交互に切り替えられる。操作ダイヤルが、交互にロック、アンロックされる。操作ダイヤルで設定される項目の設定値は、操作ダイヤルの近傍に備えられた表示部に表示される。したがって、表示部の表示を確認することにより、設定を確認できる。【００７６】
（３３）回転式の操作ダイヤルの天面への指の接触を検出し、操作ダイヤルの天面への指の接触が検出されている間、操作ダイヤルによる設定値の変更を有効にし、既定の情報を操作ダイヤルの天面に備えられたダイヤル表示部に表示し、操作ダイヤルの天面への指の接触が検出されている間は、情報を操作ダイヤルの近傍に備えられた表示部に表示する、カメラの設定方法。【００７７】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルの天面にはダイヤル表示部が備えられる。ダイヤル表示部には、既定の情報が表示される。ただし、操作ダイヤルの天面への指の接触が検出されている間は、当該情報が操作ダイヤルの近傍に備えられた表示部に表示される。これにより、操作中であっても、ダイヤル表示部に表示すべきとされる情報を確認できる。【００７８】
（３４）回転式の操作ダイヤルの天面への指の接触を検出し、操作ダイヤルの天面への指の接触が検出されている間、操作ダイヤルによる設定値の変更を有効にし、既定の情報を操作ダイヤルの天面に備えられたダイヤル表示部に表示し、操作ダイヤルの天面への指の接触が検出されている間は、接触された領域を避けて情報をダイヤル表示部に表示する、カメラの設定方法。【００７９】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルの天面にはダイヤル表示部が備えられる。ダイヤル表示部には、既定の情報が表示される。そして、操作ダイヤルの天面への指の接触が検出されている間は、接触された領域を避けて当該情報が表示される。これにより、操作中であっても、ダイヤル表示部に表示する情報を確認できる。【００８０】
（３５）回転式の操作ダイヤルの天面に備えられた接触検出部からの出力に基づいて、操作ダイヤルの天面への指の接触の有無を判定する機能と、操作ダイヤルの天面への指の接触が検出されている間、操作ダイヤルによる設定値の変更を有効する機能と、操作ダイヤルによる設定値の変更が有効な場合に、操作ダイヤルの操作に応じて、設定値を変更する機能と、操作ダイヤルで設定される設定値を操作ダイヤルの近傍に備えられた表示部に表示する機能と、をコンピュータに実現させるカメラの設定プログラム。【００８１】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルで設定される項目の設定値は、操作ダイヤルの近傍に備えられた表示部に表示される。したがって、表示部の表示を確認することにより、設定を確認できる。【００８２】
（３６）回転式の操作ダイヤルの天面に備えられた接触検出部からの出力に基づいて、操作ダイヤルの天面への指の接触の有無を判定する機能と、操作ダイヤルの天面への指の接触が検出されるたびに、操作ダイヤルによる設定値の変更の有効と無効とを交互に切り替える機能と、操作ダイヤルによる設定値の変更が有効な場合に、操作ダイヤルの操作に応じて、設定値を変更する機能と、操作ダイヤルで設定される設定値を操作ダイヤルの近傍に備えられた表示部に表示する機能と、をコンピュータに実現させるカメラの設定プログラム。【００８３】
本態様によれば、操作ダイヤルの天面に指を触れるたびに、操作ダイヤルによる操作の有効と無効とが交互に切り替えられる。操作ダイヤルが、交互にロック、アンロックされる。操作ダイヤルで設定される項目の設定値は、操作ダイヤルの近傍に備えられた表示部に表示される。したがって、表示部の表示を確認することにより、設定を確認できる。【００８４】
（３７）回転式の操作ダイヤルの天面に備えられた接触検出部からの出力に基づいて、操作ダイヤルの天面への指の接触の有無を判定する機能と、操作ダイヤルの天面への指の接触が検出されている間、操作ダイヤルによる設定値の変更を有効する機能と、操作ダイヤルによる設定値の変更が有効な場合に、操作ダイヤルの操作に応じて、設定値を変更する機能と、既定の情報を操作ダイヤルの天面に備えられたダイヤル表示部に表示し、操作ダイヤルの天面への指の接触が検出されている間は、情報を操作ダイヤルの近傍に備えられた表示部に表示する機能と、をコンピュータに実現させるカメラの設定プログラム。【００８５】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルの天面にはダイヤル表示部が備えられる。ダイヤル表示部には、既定の情報が表示される。ただし、操作ダイヤルの天面への指の接触が検出されている間は、当該情報が操作ダイヤルの近傍に備えられた表示部に表示される。これにより、操作中であっても、ダイヤル表示部に表示すべきとされる情報を確認できる。【００８６】
（３８）回転式の操作ダイヤルの天面に備えられた接触検出部からの出力に基づいて、操作ダイヤルの天面への指の接触の有無を判定する機能と、操作ダイヤルの天面への指の接触が検出されるたびに、操作ダイヤルによる設定値の変更の有効と無効とを交互に切り替える機能と、操作ダイヤルによる設定値の変更が有効な場合に、操作ダイヤルの操作に応じて、設定値を変更する機能と、既定の情報を操作ダイヤルの天面に備えられたダイヤル表示部に表示し、操作ダイヤルの天面への指の接触が検出されている間は、接触された領域を避けて情報をダイヤル表示部に表示する機能と、をコンピュータに実現させるカメラの設定プログラム。【００８７】
本態様によれば、操作ダイヤルの天面に指が触れている間、操作ダイヤルによる設定値の変更が有効にされる。すなわち、天面に触れながら操作ダイヤルを操作した場合にのみ操作が有効になる。操作ダイヤルの天面にはダイヤル表示部が備えられる。ダイヤル表示部には、既定の情報が表示される。そして、操作ダイヤルの天面への指の接触が検出されている間は、接触された領域を避けて当該情報が表示される。これにより、操作中であっても、ダイヤル表示部に表示する情報を確認できる。
【発明の効果】
【００８８】
本発明によれば、簡素な構成で誤操作を防止でき、かつ、操作性の高いカメラを提供できる。
【図面の簡単な説明】
【００８９】
【図１】デジタルカメラの一例を示す正面図
【図２】デジタルカメラの一例を示す背面図
【図３】デジタルカメラの一例を示す平面図
【図４】レンズを装着したデジタルカメラの平面図
【図５】操作ダイヤルの概略構成を示す縦断面図
【図６】デジタルカメラの制御系の概略構成を示すブロック図
【図７】操作ダイヤル及びサブディスプレーを使用した設定システムの概略構成を示すブロック図
【図８】サブディスプレーの表示例を示す平面図
【図９】操作ダイヤルを用いた設定変更の手順を示すフローチャート
【図１０】設定値の変更が有効な場合の操作ダイヤルの操作方法を示すデジタルカメラの平面図
【図１１】設定値の変更が無効な場合の操作ダイヤルの操作方法を示すデジタルカメラの平面図
【図１２】切替部の動作手順を示すフローチャート
【図１３】操作ダイヤルを用いた設定変更の手順を示すフローチャート
【図１４】設定値の変更が有効な場合のサブディスプレーの表示を示す平面図
【図１５】設定値の変更が無効な場合のサブディスプレーの表示を示す平面図
【図１６】デジタルカメラの正面図
【図１７】デジタルカメラの平面図
【図１８】撮影モードと操作ダイヤルで設定する項目との関係を表わす表
【図１９】設定システムの概略構成を示すブロック図
【図２０】操作ダイヤルで設定する項目を切り替える手段を備えたデジタルカメラの一例を示す平面図
【図２１】設定システムの概略構成を示すブロック図
【図２２】サブディスプレーの表示の切り替わりを示す平面図
【図２３】操作ダイヤルの天面にディスプレーを備えたデジタルカメラの一例を示す平面図
【図２４】天面にダイヤルディスプレーを備えた操作ダイヤルの概略構成を示す縦断面図
【図２５】デジタルカメラに備えられる設定システムの概略構成を示すブロック
【図２６】操作ダイヤルによって設定される項目がシャッタースピードである場合のダイヤルディスプレーの表示の一例を示す図
【図２７】操作ダイヤルによって設定される項目が絞り値である場合のダイヤルディスプレーの表示の一例を示す図
【図２８】操作ダイヤルによって設定される項目がＩＳＯ感度である場合のダイヤルディスプレーの表示の一例を示す図
【図２９】操作ダイヤルによって設定される項目が露出補正値である場合のダイヤルディスプレーの表示の一例を示す図
【図３０】操作ダイヤルによって設定される項目が撮影モードである場合のダイヤルディスプレーの表示の一例を示す図
【図３１】サブディスプレー及びダイヤルディスプレーの表示の一例を示す図
【図３２】操作ダイヤルによる設定値の変更が無効な場合におけるサブディスプレー及びダイヤルディスプレーの表示の一例を示す図
【図３３】操作ダイヤルによって設定される項目が絞り値である場合のサブディスプレー及びダイヤルディスプレーの表示の一例を示す図
【図３４】操作ダイヤルによって設定される項目がＩＳＯ感度である場合のサブディスプレー及びダイヤルディスプレーの表示の一例を示す図
【図３５】操作ダイヤルによって設定される項目が露出補正値である場合のサブディスプレー及びダイヤルディスプレーの表示の一例を示す図
【図３６】操作ダイヤルによって設定される項目が撮影モードである場合のサブディスプレー及びダイヤルディスプレーの表示の一例を示す図
【図３７】ダイヤルディスプレーに操作ダイヤルで設定される項目の情報、及び、その設定値を表示する場合の一例を示す図
【図３８】操作ダイヤルの天面に指が触れられていない場合のサブディスプレー及びダイヤルディスプレーの表示の一例を示す図
【図３９】操作ダイヤルの天面に指が触れられた場合のサブディスプレー及びダイヤルディスプレーの表示の一例を示す図
【図４０】操作ダイヤルの天面に指が触れられた場合のサブディスプレー及びダイヤルディスプレーの表示の他の一例を示す図
【図４１】操作ダイヤルの天面に指が触れられた場合のサブディスプレー及びダイヤルディスプレーの表示の他の一例を示す図
【図４２】操作ダイヤルの天面に指が触れられた場合のサブディスプレー及びダイヤルディスプレーの表示の一例を示す図
【図４３】サブディスプレー及びダイヤルディスプレーの表示の一例を示す図
【図４４】操作ダイヤルの天面へのスワイプ操作によって撮影モードを切り替える方法を説明する図
【図４５】ダイヤルディスプレーの表示のスクロールの概念図
【図４６】各撮影モードでのダイヤルディスプレーの表示の一例を示す図
【図４７】一定時間以上継続して同じ位置に指が触れられた場合のダイヤルディスプレーの表示の一例を示す図
【図４８】矩形状のダイヤル表示部を有する操作ダイヤルの平面図
【図４９】操作ダイヤル及びサブディスプレーのレイアウトの他の一例を示す平面図
【図５０】操作ダイヤル及びサブディスプレーのレイアウトの他の一例を示す平面図
【発明を実施するための形態】
【００９０】
以下、添付図面に従って本発明を実施するための好ましい形態について詳説する。
【００９１】
〔第１の実施の形態〕
［外観構成］
図１、図２、図３は、それぞれ本発明が適用されたデジタルカメラの一例を示す正面図、背面図、平面図である。
【００９２】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００９３】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００９４】
図４は、レンズを装着したデジタルカメラの平面図である。同図に示すように、本実施の形態のデジタルカメラ１は、カメラボディ１０にレンズ２を装着して使用する。
【００９５】
図１から図４に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等が備えられる。
【００９６】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００９７】
《レンズマウント》
レンズマウント１２は、レンズ２の取り付け部である。図１に示すように、レンズマウント１２は、カメラボディ１０の正面に備えられる。レンズ２は、レンズマウント１２に着脱可能に装着される。レンズマウント１２は、バヨネット式で構成される。
【００９８】
《メインディスプレー》
メインディスプレー１４は、主として画像の表示に使用されるディスプレーである。図２に示すように、メインディスプレー１４は、カメラボディ１０の背面に備えられる。メインディスプレー１４は、たとえば、カラーＬＣＤ（ＬＣＤ：Liquid Crystal Display／液晶ディスプレー）で構成される。
【００９９】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。ライブビューすることにより、メインディスプレー上で画角、フォーカス状態等の確認が可能になる。
【０１００】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面で各種設定が行われる。
【０１０１】
《サブディスプレー》
サブディスプレー１６は、表示部の一例である。サブディスプレー１６は、メインディスプレー１４に比して小画面の表示装置で構成される。図３に示すように、サブディスプレー１６は、カメラボディ１０の天面に備えられる。サブディスプレー１６は、たとえば、照明を備えた反射型のＬＣＤで構成される。サブディスプレー１６は、矩形の表示面を有し、その短辺が光軸Ｌと平行に配置される。より具体的には、短辺が前後方向（ｚ方向）に沿って配置され、かつ、長辺が横方向（ｘ方向）に沿って配置される。
【０１０２】
サブディスプレー１６には、主としてデジタルカメラ１の設定内容が表示される。このサブディスプレー１６に表示される情報には、少なくとも操作ダイヤル１１０で設定される項目の設定値の情報が含まれる。この点については後に詳述する。
【０１０３】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【０１０４】
《ホットシュー》
ホットシュー２０は、外付けのフラッシュの取り付け部である。図３に示すように、ホットシュー２０は、カメラボディ１０の天面に備えられる。
【０１０５】
《操作部材》
カメラボディ１０には、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等が備えられる。
【０１０６】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチで構成される。シャッターボタン３０が半押しされると、撮影準備、すなわち、ＡＥ及びＡＦが実行され、全押しされると、本撮影、すなわち、記録用の撮影が実施される。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。
【０１０７】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【０１０８】
〈再生ボタン〉
再生ボタン３４は、デジタルカメラ１のモードを再生モードの切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、最後に撮影した画像がメインディスプレー１４に表示される。
【０１０９】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【０１１０】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【０１１１】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【０１１２】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【０１１３】
〈メニューボタン〉
メニューボタン３８は、メニュー画面をメインディスプレー１４に呼び出すボタンである。メニューボタン３８は、カメラボディ１０の背面に備えられる。撮影モード又は再生モードに設定されている状態でメニューボタン３８を押すと、メインディスプレー１４にメニュー画面が表示される。
【０１１４】
なお、メニューボタン３８は、ＯＫボタンとしても機能し、選択事項、確認事項等について、ＯＫを指示する際に使用される。
【０１１５】
〈セレクターボタン〉
セレクターボタン３９は、メニューボタン３８を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。更に、メインディスプレー１４に各種設定画面を呼び出した場合には、画面上でカーソルを各方向に移動させるボタンとして機能する。
【０１１６】
〈ＢＡＣＫボタン〉
ＢＡＣＫボタン４０は、メインディスプレー１４の表示を１つ前の状態に戻すことを指示するボタンである。ＢＡＣＫボタン４０は、カメラボディ１０の背面に備えられる。各種設定画面がメインディスプレー１４に表示されている状態でＢＡＣＫボタン４０が押されると、メインディスプレー１４の表示が１つ前の状態に戻される。これにより、選択事項、確認事項等をキャンセルできる。
【０１１７】
また、ＢＡＣＫボタン４０は、メインディスプレー１４の表示形態の切り替えを指示するボタンとしても機能する。再生モード又は撮影モードに設定されている状態において、ＢＡＣＫボタン４０が押されると、メインディスプレー１４の表示形態が切り替えられる。たとえば、再生モードに設定されている状態でＢＡＣＫボタン４０が押されると、メインディスプレー１４に表示されている画像の撮影条件、ヒストグラム等が画像に重ねて表示される。また、たとえば、撮影モードに設定されている状態でＢＡＣＫボタン４０が押されると、撮影条件、ヒストグラム等の各種情報がライブビュー画像に重ねて表示される。
【０１１８】
〈リアコマンドダイヤル〉
リアコマンドダイヤル４１は、カメラボディ内で回転可能に支持され、その外周の一部がカメラボディ１０の背面に露出して設けられる。特に、本実施の形態のデジタルカメラ１では、カメラボディ１０をグリップする手の親指で操作可能な位置に配置される。リアコマンドダイヤル４１には、デジタルカメラ１の設定状態に応じて種々の機能が割り当てられる。
【０１１９】
〈操作ダイヤル〉
操作ダイヤル１１０は、回転式の操作ダイヤルの一例であり、デジタルカメラ１の各種設定に使用される。操作ダイヤル１１０で設定する項目は、ユーザーによって選択される。この点については、後に詳述する。
【０１２０】
操作ダイヤル１１０は、カメラボディ１０の天面に備えられる。特に、本実施の形態のデジタルカメラ１では、グリップ部側の端部に操作ダイヤル１１０が備えられる。これにより、カメラボディ１０をグリップする手の指で操作ダイヤル１１０を操作できる。
【０１２１】
操作ダイヤル１１０は、全体として円盤形状を有する。操作ダイヤル１１０は、主として、内周部１１２と、外周部１１４とで構成される。内周部１１２は、円盤形状を有し、固定して設けられる。外周部１１４は、リング形状を有し、内周部１１２の外周を回転可能に設けられる。操作ダイヤル１１０を操作する際は、外周部１１４を回転させて操作する。
【０１２２】
ここで、操作ダイヤル１１０による操作は、内周部１１２の上端面に触れながら外周部１１４を回転操作した場合にのみ有効になる。すなわち、内周部１１２の上端面に触れながら外周部１１４を回転操作した場合にのみ設定値の変更が可能になる。この点については、後に詳述する。
【０１２３】
図５は、操作ダイヤルの概略構成を示す縦断面図である。
【０１２４】
同図に示すように、操作ダイヤル１１０は、操作ダイヤル支持フレーム１１６を介してカメラボディ１０に組み付けられる。
【０１２５】
内周部１１２は、下部同軸上に円柱状の支柱部１１２Ａを有し、その支柱部１１２Ａが、操作ダイヤル支持フレーム１１６に固定される。内周部１１２は、その上端面が操作ダイヤル１１０の天面を構成する。
【０１２６】
内周部１１２の上端面には、タッチセンサー１３０が備えられる。タッチセンサー１３０は、接触検出部の一例であり、操作ダイヤル１１０の天面への指の接触を検出する。タッチセンサー１３０は、接触を検出するとＯＮの信号を出力する。タッチセンサー１３０は、円形の接触検出領域を有し、内周部１１２の上端面のほぼ全域が接触検出領域とされる。
【０１２７】
上記のように、操作ダイヤル１１０による操作は、天面である内周部１１２の上端面（天面）に触れながら外周部１１４を回転操作した場合にのみ有効になる。すなわち、天面に触れていない状態では、ロックが掛けられた状態になり、天面に触れることにより、ロックが解除される。天面である内周部１１２の上端面には、触れるとロックが解除されることを示す「ＵＮＬＯＣＫ」の文字が表示される。文字は内周部１１２の上端面にプリント又は刻印して表示される。
【０１２８】
外周部１１４は、下部同軸上に円筒状の軸部１１４Ａを有し、その軸部１１４Ａが、軸受１１８を介して、操作ダイヤル支持フレーム１１６に回転可能に支持される。
【０１２９】
なお、外周部１１４は、正逆回転可能に支持される。図３及び図５において、符号Ｒ＋で示す矢印の方向（反時計回りの回転方向）をプラスの回転方向、符号Ｒ−で示す矢印の方向（時計回りの回転方向）をマイナスの回転方向とする。
【０１３０】
操作ダイヤル支持フレーム１１６には、クリック機構１２０が備えられる。クリック機構１２０は、操作ダイヤル１１０の外周部１１４の回転にクリック感を発生させる。
【０１３１】
クリック機構１２０は、クリック溝板金１２０Ａと、クリックボール１２０Ｂと、クリックバネ１２０Ｃと、を備えて構成される。
【０１３２】
クリック溝板金１２０Ａは、中央に円形の穴を備えた円盤形状を有する。クリック溝板金１２０Ａは、その中央の穴に外周部１１４の軸部１１４Ａが通されて、外周部１１４の軸部１１４Ａに固定される。クリック溝板金１２０Ａは、外周部１１４と同軸上に配置され、外周部１１４と共に回転する。
【０１３３】
クリック溝板金１２０Ａには、同一円周上に一定の間隔で複数のクリック溝１２０ａが備えられる。クリック溝１２０ａは、球面状の窪みとして、クリック溝板金１２０Ａの上面に備えられる。このクリック溝１２０ａの配置間隔が、クリック感を発生させる間隔となる。
【０１３４】
クリックボール１２０Ｂは、クリック溝１２０ａに嵌入して、クリック感を発生させる部材である。クリックボール１２０Ｂは、操作ダイヤル支持フレーム１１６に備えられる。操作ダイヤル支持フレーム１１６には、クリックボール１２０Ｂを収容するクリックボール収容穴１１６Ａが備えられる。クリックボール収容穴１１６Ａは、有底の穴として、外周部１１４の回転軸と平行に設けられる。また、クリックボール収容穴１１６Ａは、クリック溝１２０ａと対向する位置に備えられる。
【０１３５】
クリックバネ１２０Ｃは、クリックボール１２０Ｂをクリック溝板金１２０Ａに向けて付勢する部材である。クリックバネ１２０Ｃは、クリックボール収容穴１１６Ａに収容される。
【０１３６】
以上のように構成されるクリック機構１２０の作用は、次のとおりである。
【０１３７】
操作ダイヤル１１０の外周部１１４を回転させると、クリック溝板金１２０Ａが回転する。クリック溝板金１２０Ａが回転すると、一定の角度間隔でクリックボール１２０Ｂがクリック溝１２０ａに嵌入する。これにより、一定の角度間隔でクリック感が発生する。
【０１３８】
また、クリック感が発生したところで回転を止めると、クリックボール１２０Ｂがクリック溝１２０ａに嵌入する。これにより、回転が止められる。すなわち、一定以上の負荷を掛けて回さない限り、停止状態が維持される。クリックボール１２０Ｂがクリック溝１２０ａに嵌入して回転が止められることをクリックストップと称する。
【０１３９】
クリックストップする位置をクリックポジションとすると、クリックポジションの数はクリック溝１２０ａの数と同数になる。また、その間隔もクリック溝１２０ａの間隔と同じになる。たとえば、１回転当たりのクリックポジションの数が１０個の場合、クリック溝１２０ａの配置間隔は３６°となる。この場合、外周部１１４を回転操作すると、３６°の間隔でクリック感が発生する。また、３６°の間隔でクリックストップさせることができる。
【０１４０】
操作ダイヤル１１０の外周部１１４の回転は、回転検出部１２６によって検出される。回転検出部１２６は、操作ダイヤル１１０の外周部１１４の回転方向及び回転量を検出する。回転検出部１２６は、ロータリーエンコーダーで構成され、操作ダイヤル１１０の外周部１１４の回転を検出して、操作ダイヤル１１０の回転方向及び回転量を検出する。
【０１４１】
たとえば、１回転当たりのクリックポジションの数が１０の場合、プラス方向Ｒ＋に３６°回転したことを検出することにより、操作ダイヤル１１０がプラス方向Ｒ＋に１クリック分回転操作されたことを検出できる。
【０１４２】
上記のように、操作ダイヤル１１０を操作して設定される項目の設定値は、サブディスプレー１６に表示される。サブディスプレー１６は、カメラボディ１０の天面において、操作ダイヤル１１０の近傍に備えられる。特に、本実施の形態のデジタルカメラ１では、図３に示すように、平面視において、操作ダイヤル１１０の左斜め前側の位置に隣接して配置される。これにより、操作ダイヤル１１０を操作する手の指でサブディスプレー１６の表示が隠れるのを防止できる。
【０１４３】
［制御系］
図６は、デジタルカメラの制御系の概略構成を示すブロック図である。
【０１４４】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１４５】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１４６】
イメージセンサー駆動部５２は、システムコントローラー８０からの指令に応じて、イメージセンサー５０を駆動する。
【０１４７】
シャッター５４は、スクエア型のフォーカルプレーンシャッターで構成され、イメージセンサー５０の直前に配置される。なお、図１は、シャッターが全開された状態が示されている。
【０１４８】
シャッター駆動部５６は、システムコントローラー８０からの指令に応じて、シャッター５４を駆動する。
【０１４９】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１５０】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１５１】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１５２】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１５３】
記録制御部６８は、システムコントローラー８０からの指令に応じて、メモリーカード７８にアクセスし、データを読み書きする。撮影により得られた画像データは、メモリーカード７８に記録される。
【０１５４】
メインディスプレー駆動部７０は、システムコントローラー８０からの指令に応じて、メインディスプレー１４を駆動する。
【０１５５】
サブディスプレー駆動部７２は、システムコントローラー８０からの指令に応じて、サブディスプレー１６を駆動する。
【０１５６】
操作部７４は、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等を含み、各操作部材の操作に応じた信号をシステムコントローラー８０に出力する。
【０１５７】
システムコントローラー８０は、デジタルカメラ１の各部の動作を制御する制御部である。システムコントローラー８０は、マイクロコンピューターで構成される。すなわち、マイクロコンピューターが所定の制御プログラムを実行することによりシステムコントローラー８０として機能し、デジタルカメラ１の各部の動作を制御する制御部として機能する。
【０１５８】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１５９】
［操作ダイヤル及びサブディスプレーを使用した設定システム］
《構成》
図７は、操作ダイヤル及びサブディスプレーを使用した設定システムの概略構成を示すブロック図である。
【０１６０】
上記のように、操作ダイヤル１１０は、天面に触れながら操作した場合にのみ有効になる。また、操作ダイヤル１１０によって設定される項目の設定値は、サブディスプレー１６に表示される。
【０１６１】
図７に示すように、操作ダイヤル１１０及びサブディスプレー１６を使用した設定システム１５０は、操作ダイヤル１１０に備えられたタッチセンサー１３０の検出結果に応じて、操作ダイヤル１１０による設定値の変更の有効と無効とを切り替える切替部１５２と、設定値の変更が有効な場合に、操作ダイヤル１１０の操作に応じて、設定値を変更する設定値変更部１５４と、サブディスプレー１６の表示を制御するサブディスプレー表示制御部７２Ａと、操作ダイヤル１１０によって設定する項目を選択する設定項目選択部１５６と、設定項目選択部１５６による選択結果に応じて、操作ダイヤル１１０によって設定する項目を設定する設定項目設定部１５８と、を備えて構成される。
【０１６２】
切替部１５２は、タッチセンサー１３０の検出結果に応じて、操作ダイヤル１１０による設定値の変更の有効と無効とを切り替える。上記のように、本実施の形態のデジタルカメラ１では、天面に触れながら操作ダイヤル１１０を操作した場合にのみ、操作ダイヤル１１０の操作が有効になる。よって、切替部１５２は、タッチセンサー１３０によって接触が検出されている間だけ、操作ダイヤル１１０による設定値の変更を有効にする。
【０１６３】
切替部１５２の機能は、システムコントローラー８０の一機能として提供される。すなわち、マイクロコンピューターが、所定の制御プログラムを実行することにより、システムコントローラー８０が切替部１５２として機能する。
【０１６４】
設定値変更部１５４は、設定値の変更が有効な場合に、操作ダイヤル１１０の操作に応じて、設定値を変更する。設定値変更部１５４は、回転検出部１２６の検出結果に応じて、操作ダイヤル１１０によって設定される項目の設定値を変更する。すなわち、操作ダイヤル１１０の回転量及び回転方向に応じて、操作ダイヤル１１０によって設定される項目の設定値を変更する。
【０１６５】
設定値変更部１５４の機能は、システムコントローラー８０の一機能として提供される。すなわち、マイクロコンピューターが、所定の制御プログラムを実行することにより、システムコントローラー８０が設定値変更部１５４として機能する。
【０１６６】
サブディスプレー表示制御部７２Ａは、表示制御部の一例である。サブディスプレー表示制御部７２Ａは、サブディスプレー駆動部７２の駆動を制御して、サブディスプレー１６の表示を制御する。上記のように、サブディスプレー１６には、主としてデジタルカメラ１の設定内容が表示される。このサブディスプレー１６に表示される情報には、少なくとも操作ダイヤル１１０で設定される項目の設定値の情報が含まれる。サブディスプレー表示制御部７２Ａは、サブディスプレー１６への表示に必要な情報を取得して、サブディスプレー１６の表示を制御する。
【０１６７】
サブディスプレー表示制御部７２Ａの機能は、システムコントローラー８０の一機能として提供される。すなわち、マイクロコンピューターが、所定の制御プログラムを実行することにより、システムコントローラー８０がサブディスプレー表示制御部７２Ａとして機能する。
【０１６８】
図８は、サブディスプレーの表示例を示す平面図である。
【０１６９】
同図に示すように、サブディスプレー１６には、デジタルカメラ１の設定内容として、シャッタースピードの情報ｉ１、絞り値（Ｆ値）の情報ｉ２、ＩＳＯ感度（ＩＳＯ：International Organization for Standardization／国際標準化機構）の情報ｉ３、露出補正値の情報ｉ４、撮影モードの情報ｉ５が表示される。これらの情報は、操作ダイヤル１１０によって設定可能な項目の情報である。すなわち、本実施の形態のデジタルカメラ１では、操作ダイヤル１１０によって、シャッタースピード、絞り値、ＩＳＯ感度、露出補正値、及び、撮影モードを設定でき、この操作ダイヤル１１０によって設定可能な項目の設定値がサブディスプレー１６に表示される。
【０１７０】
また、サブディスプレー１６には、操作ダイヤル１１０がロックされていること、すなわち、操作ダイヤル１１０による設定値の変更が無効であることを示すマークであるロックマークｍ１が表示される。ロックマークｍ１は、「ＬＯＣＫ」の文字を含む図形で構成される。ロックマークｍ１は、操作ダイヤル１１０がロックされている場合に表示される。
【０１７１】
更に、サブディスプレー１６には、操作ダイヤル１１０によって設定できる項目を示す選択マークｍ２が表示される。選択マークｍ２は、三角形状の図形で構成され、操作ダイヤル１１０によって設定できる項目の位置を指し示す位置に表示される。図８には、操作ダイヤル１１０によってシャッタースピードを設定する場合の例が示されている。この場合、選択マークｍ２は、シャッタースピードが表示される位置を指し示す位置に表示される。
【０１７２】
設定項目選択部１５６は、操作ダイヤル１１０によって設定する項目を選択する。本実施の形態のデジタルカメラ１では、操作ダイヤル１１０によって設定する項目を設定画面で設定する。メニュー画面から設定画面を呼び出すと、設定画面で設定可能な項目の一つとして、「操作ダイヤルの設定」の項目が現れる。そして、「操作ダイヤルの設定」の項目を選択すると、操作ダイヤル１１０によって設定する項目の選択画面がメインディスプレー１４に現れ、操作ダイヤル１１０によって設定する項目の選択が可能になる。選択は、セレクターボタン３９、メニューボタン３８、及び、ＢＡＣＫボタン４０を利用して行われる。すなわち、本実施の形態のデジタルカメラ１では、メインディスプレー１４、システムコントローラー８０、セレクターボタン３９、メニューボタン３８、及び、ＢＡＣＫボタン４０等が協働して、設定項目選択部１５６を構成する。
【０１７３】
設定項目設定部１５８は、設定項目選択部１５６による選択結果に応じて、操作ダイヤル１１０によって設定する項目を設定する。設定項目設定部１５８は、システムコントローラー８０で構成される。すなわち、システムコントローラー８０が所定の制御プログラムを実行することにより、設定項目設定部１５８として機能する。
【０１７４】
なお、操作ダイヤル１１０によって設定する項目として、シャッタースピードが選択された場合、設定値変更部１５４は、操作ダイヤル１１０の操作に応じて、所定の順でシャッタースピードを変更する。すなわち、操作ダイヤル１１０がプラス方向に回転操作された場合は、１クリックごとにシャッタースピードを繰り上げ、マイナス方向に回転操作された場合は、１クリックごとにシャッタースピードを繰り下げる。
【０１７５】
また、操作ダイヤル１１０によって設定する項目として、絞り値が選択された場合、設定値変更部１５４は、操作ダイヤル１１０の操作に応じて、所定の順で絞り値を変更する。すなわち、操作ダイヤル１１０がプラス方向に回転操作された場合は、１クリックごとに絞り値を繰り上げ、マイナス方向に回転操作された場合は、１クリックごとに絞り値を繰り下げる。
【０１７６】
更に、操作ダイヤル１１０によって設定する項目として、ＩＳＯ感度が選択された場合、設定値変更部１５４は、操作ダイヤル１１０の操作に応じて、所定の順でＩＳＯ感度を変更する。すなわち、操作ダイヤル１１０がプラス方向に回転操作された場合は、１クリックごとにＩＳＯ感度を繰り上げ、マイナス方向に回転操作された場合は、１クリックごとにＩＳＯ感度を繰り下げる。
【０１７７】
また、操作ダイヤル１１０によって設定する項目として、露出補正値が選択された場合、設定値変更部１５４は、操作ダイヤル１１０の操作に応じて、所定のステップ幅で露出補正値を変更する。すなわち、操作ダイヤル１１０がプラス方向に回転操作された場合は、１クリックごとに露出補正値をプラス側に所定のステップ幅で繰り上げ、マイナス方向に回転操作された場合は、１クリックごとに露出補正値を所定のステップ幅で繰り下げる。
【０１７８】
また、操作ダイヤル１１０によって設定する項目として、撮影モードが選択された場合、設定値変更部１５４は、操作ダイヤル１１０の操作に応じて、所定の順で撮影モードを変更する。本実施の形態のデジタルカメラ１では、選択可能な撮影モードとして、プログラム、シャッタースピード優先、絞り優先、マニュアルが用意されている。
【０１７９】
ここで、プログラムとは、露出を一定にしたまま、撮影者が絞り値とシャッタースピードの組み合わせを変更できるモードをいう。いわゆるプログラムシフトが可能な撮影モードのことである。撮影モードに「プログラム」が選択されている場合、サブディスプレー１６には「Ｐ」の文字が表示される。
【０１８０】
シャッタースピード優先とは、ユーザーが選択したシャッタースピードに対して適正露出となるような絞り値をカメラが自動的に決定するモードをいう。撮影モードに「シャッタースピード優先」が選択されている場合、サブディスプレー１６には「Ｓ」の文字が表示される。
【０１８１】
絞り優先とは、ユーザーが選択した絞り値に対して適正露出となるようなシャッタースピードをカメラが自動的に決定するモードをいう。撮影モードに「絞り優先」が選択されている場合、サブディスプレー１６には「Ａ」の文字が表示される。
【０１８２】
マニュアルとは、シャッタースピード、絞り値をユーザーが選択するモードをいう。撮影モードに「マニュアル」が選択されている場合、サブディスプレー１６には「Ｍ」の文字が表示される。
【０１８３】
《作用》
以下、操作ダイヤル及びサブディスプレーを使用した設定方法について説明する。
【０１８４】
図９は、操作ダイヤルを用いた設定変更の手順を示すフローチャートである。
【０１８５】
まず、操作ダイヤル１１０が操作されたか否かが判定される（ステップＳ１１）。操作ダイヤル１１０が操作されたか否かは、回転検出部１２６からの出力に基づいて判定される。すなわち、回転検出部１２６が操作ダイヤル１１０の外周部１１４の回転を検出すると、操作ダイヤル１１０が操作されたと判定する。
【０１８６】
操作ダイヤル１１０が操作されたと判定すると、次に、タッチセンサー１３０がＯＮか否かが判定される（ステップＳ１２）。すなわち、操作ダイヤル１１０の天面に指が触れられているか否かが判定される。
【０１８７】
タッチセンサー１３０がＯＮの場合、操作ダイヤル１１０の操作に応じて、操作ダイヤル１１０で設定される項目の設定値が変更される（ステップＳ１３）。たとえば、操作ダイヤル１１０で設定される項目がシャッタースピードの場合、操作ダイヤル１１０の操作に応じてシャッタースピードが変更される。
【０１８８】
一方、タッチセンサー１３０がＯＦＦの場合、すなわち、操作ダイヤル１１０の天面に指が触れられていない状態で操作ダイヤル１１０が操作されている場合、設定値の変更は行われない。この場合、サブディスプレー１６のロックマークｍ１の表示が点滅される（ステップＳ１４）。
【０１８９】
このように、本実施の形態のデジタルカメラ１では、天面に触れながら回転操作した場合にのみ、操作ダイヤル１１０による設定値の変更が可能になる。すなわち、天面に触れながら回転操作した場合にのみ、操作ダイヤル１１０のロックが解除され、その他の場合はロックされる。
【０１９０】
図１０は、設定値の変更が有効な場合の操作ダイヤルの操作方法を示すデジタルカメラの平面図である。
【０１９１】
同図に示すように、天面に触れながら操作ダイヤル１１０を回転操作することにより、操作ダイヤル１１０の操作が有効になる。
【０１９２】
図１１は、設定値の変更が無効な場合の操作ダイヤルの操作方法を示すデジタルカメラの平面図である。
【０１９３】
同図に示すように、天面に触れずに操作ダイヤル１１０を回転操作した場合、操作ダイヤル１１０の操作は無効となる。
【０１９４】
操作ダイヤル１１０の操作が無効の場合、すなわち、操作ダイヤル１１０がロックされている場合、サブディスプレー１６にはロックマークｍ１が表示される。操作が無効な状態、すなわち、操作ダイヤル１１０がロックされた状態で操作ダイヤル１１０が回転操作されると、ロックマークｍ１が点滅する。これにより、操作ダイヤル１１０がロックされていることを更に容易に認識できる。
【０１９５】
システムコントローラー８０は、所定の設定プログラムを実行することにより、上記設定処理を実施する。
【０１９６】
以上説明したように、本実施の形態のデジタルカメラ１によれば、操作ダイヤル１１０を操作する場合、天面に触れながら操作した場合にのみ、その操作が有効になる。これにより、意図せずに設定が変更されてしまうのを有効に防止できる。
【０１９７】
また、操作を有効にする場合も操作ダイヤル１１０の天面に触れるだけなので、良好な操作性を確保できる。
【０１９８】
更に、メカニカルな機構でロックするのではなく、電子的にロックするので、操作ダイヤル１１０の構成を簡素化できる。
【０１９９】
また、ロックされた場合も、その情報が操作ダイヤル１１０の近傍に配置されたサブディスプレー１６に表示されるので、操作に戸惑うこともない。これにより、良好な操作性を確保できる。
【０２００】
更に、操作ダイヤル１１０の天面には、「ＵＮＬＯＣＫ」の文字が表示されているので、直感的に操作ができる。
【０２０１】
なお、本実施の形態では、操作ダイヤル１１０の天面のほぼ全域（内周部１１２の上端面のほぼ全域）を接触検出領域としているが、接触を検出する領域は、操作ダイヤル１１０の天面の一部に限定してもよい。操作ダイヤル１１０の中心部分を接触検出領域としてもよい。これにより、意図せずに設定が変わってしまうのを有効に防止できる。すなわち、操作ダイヤル１１０の中心部分に触れながら操作した場合にのみ操作が有効になるので、誤動作を有効に防止できる。また、接触を検出する領域が、操作ダイヤルの中心部分なので、良好な操作性も確保できる。すなわち、他の位置は手さぐりで探すことはできないが、回転中心の位置は、手さぐりでも探し出せる。このため、暗い環境で操作する場合、ファインダーを覗きながら操作する場合等において、特に良好な操作性を確保できる。
【０２０２】
〔第２の実施の形態〕
上記第１の実施の形態のデジタルカメラ１では、天面に触れながら操作ダイヤル１１０を操作した場合にのみ、操作ダイヤル１１０の操作が有効にされる。
【０２０３】
本実施の形態のデジタルカメラ１では、操作ダイヤル１１０の天面に触れるたびに、操作ダイヤル１１０の操作の有効と無効とが交互に切り替えられる。すなわち、タッチセンサー１３０によって接触が検出されるたびに、操作ダイヤル１１０による設定値の変更の有効と無効とが交互に切り替えられる。
【０２０４】
［構成］
切替部１５２の動作が異なる点以外は、基本的に上述した第１の実施の形態のデジタルカメラ１の構成と同じである。
【０２０５】
切替部１５２は、接触検出部であるタッチセンサー１３０によって天面への接触が検出されるたびに、操作ダイヤル１１０による設定値の変更の有効と無効とを交互に切り替える。
【０２０６】
したがって、本実施の形態のデジタルカメラ１では、タッチセンサー１３０が、いわゆるトグル式のスイッチとして機能する。
【０２０７】
なお、本実施の形態のデジタルカメラ１では、操作ダイヤル１１０の天面には、「ＵＮＬＯＣＫ」の文字は表示されない（図１４及び図１５参照）。
【０２０８】
図１２は、切替部の動作手順を示すフローチャートである。
【０２０９】
まず、デジタルカメラ１の電源がＯＮされたか否かが判定される（ステップＳ２１）。
【０２１０】
デジタルカメラ１の電源がＯＮされると、操作ダイヤル１１０による設定値の変更を無効に設定する（ステップＳ２２）。すなわち、本実施の形態のデジタルカメラ１では、電源投入時、操作ダイヤル１１０による操作が無効とされる。
【０２１１】
この後、天面への接触の有無が判定される（ステップＳ２３）。すなわち、タッチセンサー１３０で操作ダイヤル１１０の天面への接触が検出されたか否かが判定される。
【０２１２】
操作ダイヤル１１０の天面への接触が検出されると、切替部１５２は、設定値の有効と無効とを切り替える（ステップＳ２４）。すなわち、直前の状態が有効の場合は、無効に切り替え、無効の場合は、有効に切り替える。上記のように、電源投入直後は、無効に設定されるので、電源投入後、初めて接触が検出された場合は、有効に切り替えられる。
【０２１３】
このように、切替部１５２は、天面への接触が検出されるたびに、操作ダイヤル１１０による設定値の変更の有効と無効とを交互に切り替える。
【０２１４】
この後、デジタルカメラ１の電源がＯＦＦされたか否かを判定し（ステップＳ２５）、電源がＯＦＦされると、処理を終了する。
【０２１５】
［作用］
以下、操作ダイヤル及びサブディスプレーを使用した設定方法について説明する。
【０２１６】
図１３は、本実施の形態のデジタルカメラにおける操作ダイヤルを用いた設定変更の手順を示すフローチャートである。
【０２１７】
まず、操作ダイヤル１１０が操作されたか否かが判定される（ステップＳ３１）。
【０２１８】
操作ダイヤル１１０が操作されたと判定すると、次に、操作ダイヤル１１０による操作が有効か否か、すなわち、操作ダイヤル１１０による設定値の変更が有効か否か判定される（ステップＳ３２）。
【０２１９】
操作ダイヤル１１０による設定値の変更が有効な場合、操作ダイヤル１１０の操作に応じて、操作ダイヤル１１０で設定される項目の設定値が変更される（ステップＳ３３）。たとえば、操作ダイヤル１１０で設定される項目がシャッタースピードの場合、操作ダイヤル１１０の操作に応じてシャッタースピードが変更される。
【０２２０】
一方、操作ダイヤル１１０による設定値の変更が無効の場合、設定値の変更は行われない。この場合、サブディスプレー１６のロックマークｍ１の表示が点滅される（ステップＳ３４）。
【０２２１】
このように、本実施の形態のデジタルカメラ１では、操作ダイヤル１１０の天面に触れるたびに、操作ダイヤル１１０による設定値の変更の有効と無効とが交互に切り替えられる。すなわち、操作ダイヤル１１０のロック状態とアンロック状態（ロック解除状態）とが交互に切り替えられる。
【０２２２】
図１４は、設定値の変更が有効な場合のサブディスプレーの表示を示す平面図である。
【０２２３】
同図に示すように、設定値の変更が有効の場合、サブディスプレー１６にはロックマークが表示されない。
【０２２４】
図１５は、設定値の変更が無効な場合のサブディスプレーの表示を示す平面図である。
【０２２５】
同図に示すように、設定値の変更が無効の場合、サブディスプレー１６にはロックマークｍ１が表示される。設定の変更が無効な状態、すなわち、ロックされた状態で操作ダイヤル１１０が回転操作されると、ロックマークｍ１が点滅する。これにより、操作ダイヤル１１０がロックされていることを更に容易に認識できる。
【０２２６】
システムコントローラー８０は、所定の設定プログラムを実行することにより、上記設定処理を実施する。
【０２２７】
以上説明したように、本実施の形態のデジタルカメラ１によれば、操作ダイヤル１１０の天面に触れる動作によって、操作ダイヤル１１０をロック、アンロックできる。これにより、簡単に操作ダイヤル１１０をロック、アンロックできる。また、これにより、意図せずに設定が変更されてしまうのを有効に防止できる。
【０２２８】
〔第３の実施の形態〕
本実施の形態のデジタルカメラでは、操作ダイヤルで設定する項目が、撮影モードに応じて、自動的に切り替わる。
【０２２９】
図１６、図１７は、それぞれ本発明が適用されたデジタルカメラの第３の実施の形態の正面図、平面図である。
【０２３０】
同図に示すように、本実施の形態のデジタルカメラ１には、カメラボディ１０の天面にモードダイヤル４２が備えられる。
【０２３１】
モードダイヤル４２は、撮影モードを設定するための回転式のダイヤルである。モードダイヤル４２の天面には、「Ｐ」、「Ｓ」、「Ａ」、「Ｍ」の各記号が同一円周上に一定の間隔で表示される。記号「Ｐ」はプログラム、記号「Ｓ」はシャッタースピード優先、記号「Ａ」は絞り優先、記号「Ｍ」はマニュアルを表わす。モードダイヤル４２は、指標４２ａに対し、各記号の位置でクリックストップ可能に構成される。記号「Ｐ」を指標４２ａに合わせると、撮影モードがプログラムに設定される。記号「Ｓ」を指標４２ａに合わせると、撮影モードがシャッタースピード優先に設定される。記号「Ａ」を指標４２ａに合わせると、撮影モードが絞り優先に設定される。記号「Ｍ」を指標４２ａに合わせると、撮影モードがマニュアルに設定される。
【０２３２】
なお、図１７は、撮影モードとして、シャッタースピード優先を選択した場合を示している。この場合、指標４２ａに記号「Ｓ」が合わせられる。
【０２３３】
上記のように、本実施の形態のデジタルカメラでは、操作ダイヤル１１０で設定する項目が、撮影モードに応じて、自動的に切り替わる。
【０２３４】
図１８は、撮影モードと操作ダイヤルで設定する項目との関係を表わす表である。
【０２３５】
同図に示すように、撮影モードがプログラムに設定されると、操作ダイヤル１１０で設定する項目は、プログラムシフトに設定される。この場合、操作ダイヤル１１０を有効にして、操作ダイヤル１１０をプラス方向に回転させると、シャッタースピードが速くなり、絞り値は小さくなる。また、操作ダイヤル１１０を有効にして、操作ダイヤル１１０をマイナス方向に回転させると、シャッタースピードが遅くなり、絞り値は大きくなる。
【０２３６】
また、撮影モードがシャッタースピード優先に設定されると、操作ダイヤル１１０で設定する項目は、シャッタースピードに設定される。この場合、操作ダイヤル１１０を有効にして、操作ダイヤル１１０をプラス方向に回転させると、シャッタースピードが速く設定される。また、操作ダイヤル１１０を有効にして、操作ダイヤル１１０をマイナス方向に回転させると、シャッタースピードが遅く設定される。
【０２３７】
また、撮影モードが絞り優先に設定されると、操作ダイヤル１１０で設定する項目は、絞り値に設定される。この場合、操作ダイヤル１１０を有効にして、操作ダイヤル１１０をプラス方向に回転させると、絞り値が大きく設定される。すなわち、操作ダイヤル１１０を有効にして、操作ダイヤル１１０をプラス方向に回転させると絞りが絞られる。また、操作ダイヤル１１０を有効にして、操作ダイヤル１１０をマイナス方向に回転させると、絞り値が小さく設定される。すなわち、操作ダイヤル１１０を有効にして、操作ダイヤル１１０をマイナス方向に回転させると絞りが開かれる。
【０２３８】
また、撮影モードがマニュアルに設定されると、操作ダイヤル１１０で設定する項目は、シャッタースピード又は絞り値に設定される。いずれに設定するかはユーザーの設定による。この設定は、メニューから呼び出した設定画面で予め行われる。ユーザーがシャッタースピードを選択している場合、操作ダイヤルで設定する項目はシャッタースピードに設定される。この場合、絞り値の設定は、リアコマンドダイヤル４１で行われる。また、ユーザーが絞り値を選択している場合、操作ダイヤルで設定する項目は絞り値に設定される。この場合、シャッタースピードの設定は、リアコマンドダイヤル４１で行われる。
【０２３９】
操作ダイヤル１１０で設定する項目がシャッタースピードの場合、操作ダイヤル１１０を有効にして、操作ダイヤル１１０をプラス方向に回転させると、シャッタースピードが速く設定される。また、操作ダイヤル１１０を有効にして、操作ダイヤル１１０をマイナス方向に回転させると、シャッタースピードが遅く設定される。
【０２４０】
操作ダイヤル１１０で設定する項目が絞り値の場合、操作ダイヤル１１０を有効にして、操作ダイヤル１１０をプラス方向に回転させると、絞り値が大きく設定される。すなわち、操作ダイヤル１１０を有効にして、操作ダイヤル１１０をプラス方向に回転させると絞りが絞られる。また、操作ダイヤル１１０を有効にして、操作ダイヤル１１０をマイナス方向に回転させると、絞り値が小さく設定される。すなわち、操作ダイヤル１１０を有効にして、操作ダイヤル１１０をマイナス方向に回転させると絞りが開かれる。
【０２４１】
図１９は、本実施の形態のデジタルカメラに備えられる設定システムの概略構成を示すブロック図である。
【０２４２】
本実施の形態の設定システム１５０は、設定項目選択部１５６に代えて、撮影モード設定部１６０が備えられる。撮影モード設定部１６０は、モードダイヤル４２の操作に応じて、デジタルカメラ１の撮影モードを設定する。撮影モード設定部１６０は、システムコントローラー８０で構成される。すなわち、システムコントローラー８０が所定の制御プログラムを実行することにより、撮影モード設定部１６０として機能する。
【０２４３】
設定項目設定部１５８は、撮影モード設定部１６０で設定された撮影モードに応じて、操作ダイヤル１１０によって設定する項目を設定する。すなわち、本実施の形態のデジタルカメラでは、撮影モード設定部１６０が、操作ダイヤルによって設定する項目の切り替えを指示する設定項目切替指示部として機能し、設定項目設定部１５８は、撮影モード設定部１６０で設定された撮影モードに応じて、操作ダイヤル１１０によって設定する項目を設定する。
【０２４４】
撮影モードに応じて設定する項目の情報は、データメモリ６４に格納される。設定項目設定部１５８は、データメモリ６４に格納された情報を参照して、操作ダイヤル１１０で設定する項目を設定する。
【０２４５】
以上説明したように、本実施の形態のデジタルカメラによれば、操作ダイヤルで設定する項目が、撮影モードに応じて、自動的に切り替わる。これにより、撮影モードに応じて、適切な機能を操作ダイヤルに割り当てることができる。
【０２４６】
なお、本実施の形態では、モードダイヤル４２で撮影モードを設定する構成としているが、撮影モードを設定する手段は、これに限定されるものではない。上記第１の実施の形態のデジタルカメラのように、設定画面で設定する構成とすることもできる。
【０２４７】
また、操作ダイヤル１１０による操作の有効と無効とを切り替える方法、すなわち、操作ダイヤル１１０をロック、アンロックする方法は、上記第１又は第２の実施の形態のいずれの方法であってもよい。
【０２４８】
〔第４の実施の形態〕
本実施の形態のデジタルカメラは、操作ダイヤルで設定する項目を切り替える手段を備える。これにより、操作ダイヤルで設定する項目を適宜切り替えられる。
【０２４９】
図２０は、操作ダイヤルで設定する項目を切り替える手段を備えたデジタルカメラの一例を示す平面図である。
【０２５０】
本実施の形態のデジタルカメラ１は、操作ダイヤル１１０で設定する項目を切り替える手段として、押下式の設定項目切替ボタン４３を備える。
【０２５１】
図２０に示すように、設定項目切替ボタン４３は、カメラボディ１０の天面に備えられる。設定項目切替ボタン４３は、操作ダイヤル１１０の近傍に備えられる。設定項目切替ボタン４３を押下するたびに操作ダイヤル１１０で設定する項目の切り替えが指示される。
【０２５２】
図２１は、本実施の形態のデジタルカメラに備えられる設定システムの概略構成を示すブロック図である。
【０２５３】
本実施の形態の設定システム１５０は、設定項目選択部１５６に代えて、設定項目切替指示部１６２が備えられる。設定項目切替指示部１６２は、設定項目切替ボタン４３の操作に応じて、操作ダイヤル１１０で設定する項目の切り替えを指示する。
【０２５４】
設定項目設定部１５８は、設定項目切替指示部１６２からの指示に応じて、操作ダイヤル１１０によって設定する項目を設定する。
【０２５５】
ここで、操作ダイヤル１１０で設定する項目は、設定項目切替指示部１６２からの指示に応じて、シャッタースピード、絞り値、ＩＳＯ感度、露出補正値、撮影モードの順で切り替えられる。したがって、たとえば、操作ダイヤル１１０で設定する項目がシャッタースピードに設定されている状態で設定項目切替ボタン４３が押下されると、設定項目設定部１５８は、操作ダイヤル１１０で設定する項目を絞り値に切り替える。
【０２５６】
なお、操作ダイヤル１１０で設定する項目が切り替えられると、サブディスプレー１６に表示されている選択マークｍ２の位置が変化する。したがって、サブディスプレー１６の表示を確認することによって、現在の設定を確認できる。
【０２５７】
図２２は、サブディスプレーの表示の切り替わりを示す平面図である。
【０２５８】
同図（Ａ）は、操作ダイヤル１１０によって設定される項目が、シャッタースピードの場合のサブディスプレー１６の表示を示している。この場合、選択マークｍ２は、シャッタースピードの情報ｉ１が表示される位置を指し示す位置に表示される。
【０２５９】
同図（Ｂ）は、操作ダイヤル１１０によって設定される項目が、絞り値の場合のサブディスプレー１６の表示を示している。この場合、選択マークｍ２は、絞り値の情報ｉ２が表示される位置を指し示す位置に表示される。
【０２６０】
同図（Ｃ）は、操作ダイヤル１１０によって設定される項目が、ＩＳＯ感度の場合のサブディスプレー１６の表示を示している。この場合、選択マークｍ２は、ＩＳＯ感度の情報ｉ３が表示される位置を指し示す位置に表示される。
【０２６１】
同図（Ｄ）は、操作ダイヤル１１０によって設定される項目が、露出補正値の場合のサブディスプレー１６の表示を示している。この場合、選択マークｍ２は、露出補正値の情報ｉ４が表示される位置を指し示す位置に表示される。
【０２６２】
同図（Ｅ）は、操作ダイヤル１１０によって設定される項目が、撮影モードの場合のサブディスプレー１６の表示を示している。この場合、選択マークｍ２は、撮影モードの情報ｉ５が表示される位置を指し示す位置に表示される。
【０２６３】
サブディスプレー１６の表示は、設定項目切替ボタン４３が押下されるたびに、図２２の（Ａ）、（Ｂ）、（Ｃ）、（Ｄ）、（Ｅ）の順で切り替わる。なお、撮影モードの次は、再びシャッタースピードに戻る。
【０２６４】
以上説明したように、本実施の形態のデジタルカメラによれば、設定項目切替ボタン４３のボタン操作によって、操作ダイヤル１１０で設定する項目を切り替えることができる。これにより、所望の項目を素早く設定できる。
【０２６５】
なお、操作ダイヤル１１０による操作の有効と無効とを切り替える方法は、上記第１又は第２の実施の形態のいずれの方法であってもよい。
【０２６６】
〔第５の実施の形態〕
本実施の形態のデジタルカメラは、操作ダイヤルの天面にディスプレーを備える。これにより、操作ダイヤルの天面に各種情報を表示できる。
【０２６７】
《構成》
図２３は、操作ダイヤルの天面にディスプレーを備えたデジタルカメラの一例を示す平面図である。
【０２６８】
同図に示すように、操作ダイヤル１１０の天面には、ディスプレーが備えられる。以下、このディスプレーをダイヤルディスプレー１３２と称する。ダイヤルディスプレー１３２は、ダイヤル表示部の一例である。ダイヤルディスプレー１３２は、ＬＣＤで構成され、円形の表示部を有する。
【０２６９】
図２４は、天面にダイヤルディスプレーを備えた操作ダイヤルの概略構成を示す縦断面図である。
【０２７０】
同図に示すように、ダイヤルディスプレー１３２は、操作ダイヤル１１０の内周部１１２の上端に備えられる。操作ダイヤル１１０は、その内周部１１２のほぼ全域が、ダイヤルディスプレー１３２の表示面とされる。
【０２７１】
タッチセンサー１３０は、ダイヤルディスプレー１３２の上に重ねて配置される。タッチセンサー１３０は、ダイヤルディスプレー１３２の表示面への指の接触を検出する。タッチセンサー１３０は、ダイヤルディスプレー１３２と組み合わされて、タッチパネルを構成する。
【０２７２】
図２５は、本実施の形態のデジタルカメラに備えられる設定システムの概略構成を示すブロック図である。
【０２７３】
本実施の形態の設定システム１５０には、ダイヤルディスプレー１３２の表示を制御するダイヤルディスプレー表示制御部１３４と、そのダイヤルディスプレー表示制御部１３４からの指令に応じて、ダイヤルディスプレー１３２を駆動するダイヤルディスプレー駆動部１３６と、が備えられる。
【０２７４】
ダイヤルディスプレー表示制御部１３４は、ダイヤル表示制御部の一例である。ダイヤルディスプレー表示制御部１３４は、操作ダイヤル１１０で設定される項目の情報をダイヤルディスプレー１３２に表示する。ダイヤルディスプレー表示制御部１３４は、ダイヤルディスプレー１３２への表示に必要な情報を取得し、ダイヤルディスプレー駆動部１３６の駆動を制御して、ダイヤルディスプレー１３２の表示を制御する。
【０２７５】
ダイヤルディスプレー表示制御部１３４の機能は、システムコントローラー８０の一機能として提供される。すなわち、マイクロコンピューターが、所定の制御プログラムを実行することにより、システムコントローラー８０がダイヤルディスプレー表示制御部１３４として機能する。
【０２７６】
《作用》
上記のように、操作ダイヤル１１０の天面にダイヤルディスプレー１３２を備えることにより、操作ダイヤル１１０の天面に各種情報を表示できる。
【０２７７】
本実施の形態のデジタルカメラ１では、現時点で操作ダイヤル１１０によって設定される項目の情報がダイヤルディスプレー１３２に表示される。たとえば、現時点で操作ダイヤル１１０によって設定される項目がシャッタースピードである場合、操作ダイヤル１１０によって設定される項目がシャッタースピードであることを示す情報がダイヤルディスプレー１３２に表示される。
【０２７８】
また、本実施の形態のデジタルカメラ１では、操作ダイヤル１１０による設定値の変更が有効な場合と無効な場合とでダイヤルディスプレー１３２の表示形態が切り替えられる。具体的には、反転表示される。反転表示とは、画面の一部で文字と背景の色を反転して表示することをいう。たとえば、操作ダイヤル１１０による設定値の変更が有効な場合は、白地（背景色が白）に黒文字で情報が表示され、無効な場合は、黒地（背景色が黒）に白文字で情報が表示される。
【０２７９】
図２６は、操作ダイヤルによって設定される項目がシャッタースピードである場合のダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０２８０】
図２６に示すように、操作ダイヤル１１０によって設定される項目がシャッタースピードである場合、「ＳＨＵＴＴＥＲ  ＳＰＥＥＤ」という表示が、ダイヤルディスプレー１３２に表示される。この表示は、操作ダイヤル１１０によって設定される項目がシャッタースピードであることを示す情報である。
【０２８１】
また、図２６に示すように、操作ダイヤル１１０による設定値の変更が有効な場合と無効な場合とで、色が反転して表示される。すなわち、操作ダイヤル１１０による設定値の変更が有効な場合は、図２６（Ａ）に示すように、白地に黒文字で「ＳＨＵＴＴＥＲ  ＳＰＥＥＤ」と表示され、操作ダイヤル１１０による設定値の変更が無効な場合は、図２６（Ｂ）に示すように、黒地に白文字で「ＳＨＵＴＴＥＲ  ＳＰＥＥＤ」と表示される。
【０２８２】
なお、操作ダイヤルによって設定される項目がシャッタースピードである場合、サブディスプレー１６には、シャッタースピードの情報ｉ１を指し示す位置に選択マークｍ２が表示される。
【０２８３】
また、操作ダイヤル１１０による設定値の変更が無効な場合、図２６（Ｂ）に示すように、サブディスプレー１６には、ロックマークｍ１が表示される。
【０２８４】
図２７は、操作ダイヤルによって設定される項目が絞り値（Ｆ値）である場合のダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０２８５】
図２７に示すように、操作ダイヤル１１０によって設定される項目が絞り値である場合、「ＩＲＩＳ」という表示が、ダイヤルディスプレー１３２に表示される。この表示は、操作ダイヤル１１０によって設定される項目が絞り値であることを示す情報である。
【０２８６】
また、図２７に示すように、操作ダイヤル１１０による設定値の変更が有効な場合と無効な場合とで、色が反転して表示される。すなわち、操作ダイヤル１１０による設定値の変更が有効な場合は、図２７（Ａ）に示すように、白地に黒文字で「ＩＲＩＳ」と表示され、操作ダイヤル１１０による設定値の変更が無効な場合は、図２７（Ｂ）に示すように、黒地に白文字で「ＩＲＩＳ」と表示される。
【０２８７】
なお、操作ダイヤルによって設定される項目が絞り値である場合、サブディスプレー１６には、絞り値の情報ｉ２を指し示す位置に選択マークｍ２が表示される。
【０２８８】
また、操作ダイヤル１１０による設定値の変更が無効な場合、図２７（Ｂ）に示すように、サブディスプレー１６には、ロックマークｍ１が表示される。
【０２８９】
図２８は、操作ダイヤルによって設定される項目がＩＳＯ感度である場合のダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０２９０】
図２８に示すように、操作ダイヤル１１０によって設定される項目がＩＳＯ感度である場合、「ＩＳＯ」という表示が、ダイヤルディスプレー１３２に表示される。この表示は、操作ダイヤル１１０によって設定される項目がＩＳＯ感度であることを示す情報である。
【０２９１】
また、図２８に示すように、操作ダイヤル１１０による設定値の変更が有効な場合と無効な場合とで、色が反転して表示される。すなわち、操作ダイヤル１１０による設定値の変更が有効な場合は、図２８（Ａ）に示すように、白地に黒文字で「ＩＳＯ」と表示され、操作ダイヤル１１０による設定値の変更が無効な場合は、図２８（Ｂ）に示すように、黒地に白文字で「ＩＳＯ」と表示される。
【０２９２】
なお、操作ダイヤルによって設定される項目がＩＳＯ感度である場合、サブディスプレー１６には、ＩＳＯ感度の情報ｉ３を指し示す位置に選択マークｍ２が表示される。
【０２９３】
また、操作ダイヤル１１０による設定値の変更が無効な場合、図２８（Ｂ）に示すように、サブディスプレー１６には、ロックマークｍ１が表示される。
【０２９４】
図２９は、操作ダイヤルによって設定される項目が露出補正値である場合のダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０２９５】
図２９に示すように、操作ダイヤル１１０によって設定される項目が露出補正値である場合、「ＥＸＰＯＳＵＲＥ  ＣＯＲＲＥＣＴＩＯＮ」という表示が、ダイヤルディスプレー１３２に表示される。この表示は、操作ダイヤル１１０によって設定される項目が露出補正値であることを示す情報である。
【０２９６】
また、図２９に示すように、操作ダイヤル１１０による設定値の変更が有効な場合と無効な場合とで、色が反転して表示される。すなわち、操作ダイヤル１１０による設定値の変更が有効な場合は、図２９（Ａ）に示すように、白地に黒文字で「ＥＸＰＯＳＵＲＥ  ＣＯＲＲＥＣＴＩＯＮ」と表示され、操作ダイヤル１１０による設定値の変更が無効な場合は、図２９（Ｂ）に示すように、黒地に白文字で「ＥＸＰＯＳＵＲＥ  ＣＯＲＲＥＣＴＩＯＮ」と表示される。
【０２９７】
なお、操作ダイヤルによって設定される項目が露出補正値である場合、サブディスプレー１６には、露出補正値の情報ｉ３を指し示す位置に選択マークｍ２が表示される。
【０２９８】
また、操作ダイヤル１１０による設定値の変更が無効な場合、図２９（Ｂ）に示すように、サブディスプレー１６には、ロックマークｍ１が表示される。
【０２９９】
図３０は、操作ダイヤルによって設定される項目が撮影モードである場合のダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０３００】
図３０に示すように、操作ダイヤル１１０によって設定される項目が撮影モードである場合、「ＭＯＤＥ」という表示が、ダイヤルディスプレー１３２に表示される。この表示は、操作ダイヤル１１０によって設定される項目が撮影モードであることを示す情報である。
【０３０１】
また、図３０に示すように、操作ダイヤル１１０による設定値の変更が有効な場合と無効な場合とで、色が反転して表示される。すなわち、操作ダイヤル１１０による設定値の変更が有効な場合は、図３０（Ａ）に示すように、白地に黒文字で「ＭＯＤＥ」と表示され、操作ダイヤル１１０による設定値の変更が無効な場合は、図３０（Ｂ）に示すように、黒地に白文字で「ＭＯＤＥ」と表示される。
【０３０２】
なお、操作ダイヤルによって設定される項目が撮影モードである場合、サブディスプレー１６には、撮影モードの情報ｉ５を指し示す位置に選択マークｍ２が表示される。
【０３０３】
また、操作ダイヤル１１０による設定値の変更が無効な場合、図３０（Ｂ）に示すように、サブディスプレー１６には、ロックマークｍ１が表示される。
【０３０４】
このように、本実施の形態のデジタルカメラ１では、現時点で操作ダイヤル１１０によって設定される項目の情報がダイヤルディスプレー１３２に表示される。これにより、操作ダイヤル１１０で設定できる項目を一目で把握でき、より良好な操作性を実現できる。なお、表示は、操作ダイヤル１１０によって設定される項目が理解できるものであればよい。
【０３０５】
また、本実施の形態のデジタルカメラ１によれば、操作ダイヤル１１０による設定値の変更が有効な場合と無効な場合とでダイヤルディスプレー１３２の表示形態が切り替えられる。これにより、操作ダイヤル１１０による設定値の変更が有効か否かを一目で把握でき、より良好な操作性を実現できる。
【０３０６】
なお、表示形態の切り替えは、これに限定されるものではない。この他、たとえば、操作ダイヤル１１０による設定値の変更が有効な場合と無効な場合とで明るさを切り替えてもよい（たとえば、操作ダイヤル１１０による設定値の変更が有効な場合は明るくし、無効な場合は暗くする。）。
【０３０７】
また、操作ダイヤル１１０による設定値の変更が無効な場合に操作ダイヤル１１０が回転操作された場合は、ダイヤルディスプレー１３２の表示を点滅させてもよい。これにより、操作が無効であることを更に容易に認識できる。
【０３０８】
操作ダイヤル１１０による設定値の変更の有効と無効とを切り替える方法は、上記第１又は第２の実施の形態のいずれの方法であってもよい。第１の実施の形態の方法の場合、天面に触れながら操作ダイヤル１１０を操作した場合にのみ、操作ダイヤル１１０の操作が有効にされる。一方、第２の実施の形態の方法の場合、操作ダイヤル１１０の天面に触れるたびに、操作ダイヤル１１０による設定値の変更の有効と無効とが交互に切り替えられる。
【０３０９】
〔第６の実施の形態〕
本実施の形態のデジタルカメラも操作ダイヤルにダイヤルディスプレーを備える点で上記第５の実施の形態のデジタルカメラと共通する。本実施の形態のデジタルカメラは、サブディスプレー及びダイヤルディスプレーに表示される情報が、上記第５の実施の形態のデジタルカメラと異なる。
【０３１０】
図３１は、本実施の形態のデジタルカメラに備えられるサブディスプレー及びダイヤルディスプレーの表示の一例を示す図である。
【０３１１】
本実施の形態のデジタルカメラでは、ダイヤルディスプレー１３２に操作ダイヤル１１０で設定される項目の設定値が表示され、サブディスプレー１６に操作ダイヤル１１０で設定される項目以外の項目の設定値が表示される。
【０３１２】
図３１は、操作ダイヤル１１０で設定される項目がシャッタースピードである場合の例を示している。この場合、ダイヤルディスプレー１３２には、現在設定されているシャッタースピードが表示される。なお、図３１には、現在設定されているシャッタースピードが１／６０秒の場合の例が示されている。この場合、ダイヤルディスプレー１３２には、「１／６０」と表示される。
【０３１３】
サブディスプレー１６には、シャッタースピード以外の項目の設定値が表示される。このサブディスプレー１６に表示される情報には、少なくとも操作ダイヤル１１０で設定可能な項目の設定値の情報が含まれる。
【０３１４】
操作ダイヤル１１０によって、シャッタースピード、絞り値、ＩＳＯ感度、露出補正値、及び、撮影モードを設定できる場合、こられの情報のうち操作ダイヤル１１０で設定する項目を除いた情報がサブディスプレー１６に表示される。たとえば、操作ダイヤル１１０で設定する項目がシャッタースピードの場合、図３１に示すように、サブディスプレー１６には、シャッタースピードを除いた情報、すなわち、絞り値、ＩＳＯ感度、露出補正値、及び、撮影モードの各情報ｉ２〜ｉ５が表示される。加えて、本実施の形態のデジタルカメラでは、サブディスプレー１６にバッテリー残量の情報ｉ６、及び、撮影可能枚数の情報ｉ７が表示される。
【０３１５】
なお、図３１は、操作ダイヤル１１０による設定値の変更が有効な場合の表示例を示している。操作ダイヤル１１０による設定値の変更が無効な場合、ダイヤルディスプレー１３２の表示色が反転される。
【０３１６】
図３２は、操作ダイヤルによる設定値の変更が無効な場合におけるサブディスプレー及びダイヤルディスプレーの表示の一例を示す図である。
【０３１７】
同図に示すように、操作ダイヤル１１０による設定値の変更が無効な場合、ダイヤルディスプレー１３２には、黒地に白文字で設定値が表示される。一方、操作ダイヤル１１０による設定値の変更が有効な場合、図３１に示すように、ダイヤルディスプレー１３２には、白地に黒文字で設定値が表示される。
【０３１８】
このように、本実施の形態のデジタルカメラでは、操作ダイヤル１１０による設定値の変更が有効な場合と無効な場合とでダイヤルディスプレー１３２の表示形態が切り替えられる。これにより、操作ダイヤル１１０による設定値の変更の可否を一目で把握できる。
【０３１９】
なお、サブディスプレー１６の表示の制御は、サブディスプレー表示制御部７２Ａで行われる。また、ダイヤルディスプレー１３２の表示の制御は、ダイヤルディスプレー表示制御部１３４で行われる。
【０３２０】
図３３は、操作ダイヤルによって設定される項目が絞り値（Ｆ値）である場合のサブディスプレー及びダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０３２１】
図３３に示すように、操作ダイヤル１１０によって設定される項目が絞り値である場合、ダイヤルディスプレー１３２には、現在設定されている絞り値が表示される。なお、図３３は、現在設定されている絞り値が、Ｆ５．６の場合が示されている。
【０３２２】
また、サブディスプレー１６には、絞り値以外の情報であるシャッタースピードの情報ｉ１と、ＩＳＯ感度の情報ｉ３と、露出補正値の情報ｉ４と、撮影モードの情報ｉ５と、が表示される。また、バッテリー残量の情報ｉ６と、撮影可能枚数の情報ｉ７と、が表示される。
【０３２３】
また、図３３に示すように、操作ダイヤル１１０による設定値の変更が有効な場合と無効な場合とで、色が反転して表示される。すなわち、操作ダイヤル１１０による設定値の変更が有効な場合は、図３３（Ａ）に示すように、白地に黒文字で絞り値が表示され、操作ダイヤル１１０による設定値の変更が無効な場合は、図３３（Ｂ）に示すように、黒地に白文字で絞り値が表示される。
【０３２４】
図３４は、操作ダイヤルによって設定される項目がＩＳＯ感度である場合のサブディスプレー及びダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０３２５】
図３４に示すように、操作ダイヤル１１０によって設定される項目がＩＳＯ感度である場合、ダイヤルディスプレー１３２には、現在設定されているＩＳＯ感度が表示される。なお、図３４は、現在設定されているＩＳＯ感度が、ＩＳＯ４００の場合を示している。
【０３２６】
また、サブディスプレー１６には、ＩＳＯ感度以外の情報であるシャッタースピードの情報ｉ１と、絞り値の情報ｉ２と、露出補正値の情報ｉ４と、撮影モードの情報ｉ５と、が表示される。また、バッテリー残量の情報ｉ６と、撮影可能枚数の情報ｉ７と、が表示される。
【０３２７】
また、図３４に示すように、操作ダイヤル１１０による設定値の変更が有効な場合と無効な場合とで、色が反転して表示される。すなわち、操作ダイヤル１１０による設定値の変更が有効な場合は、図３４（Ａ）に示すように、白地に黒文字でＩＳＯ感度が表示され、操作ダイヤル１１０による設定値の変更が無効な場合は、図３４（Ｂ）に示すように、黒地に白文字でＩＳＯ感度が表示される。
【０３２８】
図３５は、操作ダイヤルによって設定される項目が露出補正値である場合のサブディスプレー及びダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０３２９】
図３５に示すように、操作ダイヤル１１０によって設定される項目が露出補正値である場合、ダイヤルディスプレー１３２には、現在設定されている露出補正値が表示される。なお、図３５は、現在設定されている露出補正値が、±０の場合を示している。
【０３３０】
また、サブディスプレー１６には、露出補正値以外の情報であるシャッタースピードの情報ｉ１と、絞り値の情報ｉ２と、ＩＳＯ感度の情報ｉ３と、撮影モードの情報ｉ５と、が表示される。また、バッテリー残量の情報ｉ６と、撮影可能枚数の情報ｉ７と、が表示される。
【０３３１】
また、図３５に示すように、操作ダイヤル１１０による設定値の変更が有効な場合と無効な場合とで、色が反転して表示される。すなわち、操作ダイヤル１１０による設定値の変更が有効な場合は、図３５（Ａ）に示すように、白地に黒文字で露出補正値が表示され、操作ダイヤル１１０による設定値の変更が無効な場合は、図３５（Ｂ）に示すように、黒地に白文字で露出補正値が表示される。
【０３３２】
図３６は、操作ダイヤルによって設定される項目が撮影モードである場合のサブディスプレー及びダイヤルディスプレーの表示の一例を示す図である。同図（Ａ）は、操作ダイヤル１１０による設定値の変更が有効な場合、すなわち、ロックが解除された状態を示している。また、同図（Ｂ）は、操作ダイヤル１１０による設定値の変更が無効な場合、すなわち、ロックされた状態が示されている。
【０３３３】
図３６に示すように、操作ダイヤル１１０によって設定される項目が撮影モードである場合、ダイヤルディスプレー１３２には、現在設定されている撮影モードが表示される。なお、図３６は、現在設定されている撮影モードが、シャッタースピード優先の場合を示している。
【０３３４】
また、サブディスプレー１６には、撮影モード以外の情報であるシャッタースピードの情報ｉ１と、絞り値の情報ｉ２と、ＩＳＯ感度の情報ｉ３と、露出補正値の情報ｉ４と、が表示される。また、バッテリー残量の情報ｉ６と、撮影可能枚数の情報ｉ７と、が表示される。
【０３３５】
また、図３６に示すように、操作ダイヤル１１０による設定値の変更が有効な場合と無効な場合とで、色が反転して表示される。すなわち、操作ダイヤル１１０による設定値の変更が有効な場合は、図３６（Ａ）に示すように、白地に黒文字で撮影モードが表示され、操作ダイヤル１１０による設定値の変更が無効な場合は、図３６（Ｂ）に示すように、黒地に白文字で撮影モードが表示される。
【０３３６】
このように、本実施の形態のデジタルカメラによれば、ダイヤルディスプレー１３２に操作ダイヤル１１０で設定される項目の設定値が表示され、サブディスプレー１６に操作ダイヤル１１０で設定される項目以外の項目の設定値が表示される。これにより、操作ダイヤル１１０で設定される項目を一目で把握でき、かつ、その設定値も一目で把握できる。
【０３３７】
また、操作ダイヤル１１０による設定値の切り替えが有効な場合と無効な場合とでダイヤルディスプレー１３２の表示形態が切り替えられる。これにより、操作ダイヤル１１０による操作が有効か否かを一目で把握できる。
【０３３８】
なお、表示形態の切り替えは、これに限定されるものではない。この他、たとえば、操作ダイヤル１１０による設定値の変更が有効な場合と無効な場合とで明るさを切り替えてもよい（たとえば、操作ダイヤル１１０による設定値の変更が有効な場合は明るくし、無効な場合は暗くする。）。
【０３３９】
また、操作ダイヤル１１０による設定値の変更が無効な場合に操作ダイヤル１１０が回転操作された場合は、ダイヤルディスプレー１３２の表示を点滅させてもよい。これにより、操作が無効であることを更に容易に認識できる。
【０３４０】
操作ダイヤル１１０による設定値の変更の有効と無効とを切り替える方法は、上記第１又は第２の実施の形態のいずれの方法であってもよい。第１の実施の形態の方法の場合、天面に触れながら操作ダイヤル１１０を操作した場合にのみ、操作ダイヤル１１０の操作が有効にされる。一方、第２の実施の形態の方法の場合、操作ダイヤル１１０の天面に触れるたびに、操作ダイヤル１１０による設定値の変更の有効と無効とが交互に切り替えられる。
【０３４１】
また、操作ダイヤル１１０で設定する項目は、ユーザーが手動で設定してもよいし、撮影モード等に応じて自動で設定してもよい。すなわち、設定画面等において手動で設定してもよいし、ボタン操作等に応じて順に切り替わる構成としてもよい。
【０３４２】
なお、上記実施の形態では、ダイヤルディスプレー１３２に操作ダイヤル１１０で設定される項目の設定値を表示する構成としているが、操作ダイヤル１１０で設定される項目の情報も併せて表示してもよい。また、操作ダイヤル１１０で設定される項目の情報のみ表示してもよいし、その他の情報を表示してもよい。
【０３４３】
図３７は、ダイヤルディスプレーに操作ダイヤルで設定される項目の情報、及び、その設定値を表示する場合の一例を示す図である。
【０３４４】
同図に示すように、ダイヤルディスプレー１３２には、操作ダイヤル１１０で設定される項目の情報ｓ１、及び、その設定値の情報ｓ２が表示される。なお、図３７は、操作ダイヤル１１０で設定される項目がシャッタースピードの場合の例を示している。この場合、操作ダイヤル１１０で設定される項目がシャッタースピードであることを示す情報として、「ＳＨＵＴＴＥＲ  ＳＰＥＥＤ」の文字が表示される。
【０３４５】
この他、たとえば、操作ダイヤル１１０で設定される項目が絞り値の場合、ダイヤルディスプレー１３２には、操作ダイヤル１１０で設定される項目が絞り値であることを示す情報として、「ＩＲＩＳ」の文字が表示される。また、操作ダイヤル１１０で設定される項目がＩＳＯ感度の場合、ダイヤルディスプレー１３２には、操作ダイヤル１１０で設定される項目がＩＳＯ感度であることを示す情報として、「ＩＳＯ」の文字が表示される。また、操作ダイヤル１１０で設定される項目が露出補正値の場合、ダイヤルディスプレー１３２には、操作ダイヤル１１０で設定される項目が露出補正値であることを示す情報として、「ＥＸＰＯＳＵＲＥ  ＣＯＲＲＥＣＴＩＯＮ」の文字が表示される。また、操作ダイヤル１１０で設定される項目が撮影モードの場合、ダイヤルディスプレー１３２には、操作ダイヤル１１０で設定される項目が撮影モードであることを示す情報として、「ＭＯＤＥ」の文字が表示される。
【０３４６】
〔第７の実施の形態〕
本実施の形態のデジタルカメラも操作ダイヤルにダイヤルディスプレーを備え、そのダイヤルディスプレーに操作ダイヤルで設定される項目の設定値が表示される点で上記第６の実施の形態のデジタルカメラと共通する。
【０３４７】
本実施の形態のデジタルカメラでは、操作ダイヤルの天面に指が触れられた場合のダイヤルディスプレー及びサブディスプレーの表示が、上記第６の実施の形態のデジタルカメラと異なる。
【０３４８】
操作ダイヤルの天面に指が触れると、ダイヤルディスプレーの表示が見にくくなる。そこで、本実施の形態のデジタルカメラでは、操作ダイヤルの天面に指が触れられると、操作ダイヤルで設定される項目の設定値が、サブディスプレーに表示される。
【０３４９】
《第１の表示形態》
図３８は、操作ダイヤルの天面に指が触れられていない場合のサブディスプレー及びダイヤルディスプレーの表示の一例を示す図である。なお、同図は、操作ダイヤル１１０で設定される項目がシャッタースピードである場合の例を示している。
【０３５０】
図３８に示すように、操作ダイヤルの天面に指が触れられていない場合、ダイヤルディスプレー１３２には、操作ダイヤル１１０で設定される項目の設定値が表示される。上記のように、図３８は、操作ダイヤル１１０で設定される項目がシャッタースピードの場合の例を示している。この場合、ダイヤルディスプレー１３２には、シャッタースピードの設定値が表示される。図３８は、現時点で設定されているシャッタースピードが１／６０秒の場合を示している。ダイヤルディスプレー１３２には、操作ダイヤル１１０で設定される項目の設定値が白地に黒文字で表示される。
【０３５１】
また、図３８に示すように、操作ダイヤルの天面に指が触れられていない場合、サブディスプレー１６には、絞り値の情報ｉ２、ＩＳＯ感度の情報ｉ３、露出補正値の情報ｉ４、撮影モードの情報ｉ５、バッテリー残量の情報ｉ６、及び、撮影可能枚数の情報ｉ７が表示される。絞り値、ＩＳＯ感度、露出補正値、及び、撮影モードは、操作ダイヤル１１０で設定できる項目である。
【０３５２】
図３９は、操作ダイヤルの天面に指が触れられた場合のサブディスプレー及びダイヤルディスプレーの表示の一例を示す図である。
【０３５３】
同図に示すように、操作ダイヤル１１０の天面に指が触れられると、ダイヤルディスプレー１３２は、設定値の表示が消え、かつ、背景色が反転される。すなわち、画面一面が黒く表示される。
【０３５４】
一方、サブディスプレー１６には、操作ダイヤル１１０で設定される項目の設定値が表示される。すなわち、サブディスプレー１６には、シャッタースピードの設定値が表示される。
【０３５５】
このように、操作ダイヤル１１０の天面に指が触れられると、サブディスプレー１６の表示が、ダイヤルディスプレー１３２の表示に切り替えられる。ユーザーは、サブディスプレー１６の表示を確認することにより、操作ダイヤル１１０によって設定される項目の設定値を確認できる。これにより、良好な操作性を確保できる。
【０３５６】
《第２の表示形態》
操作ダイヤルの天面に指が触れられていない場合のサブディスプレー及びダイヤルディスプレーの表示は、上記第１の表示形態と同じである（図３８参照）。
【０３５７】
図４０は、操作ダイヤルの天面に指が触れられた場合のサブディスプレー及びダイヤルディスプレーの表示の他の一例を示す図である。
【０３５８】
同図に示すように、操作ダイヤル１１０の天面に指が触れられると、ダイヤルディスプレー１３２は、設定値の表示が消え、かつ、背景色が反転される。
【０３５９】
一方、サブディスプレー１６は、操作ダイヤル１１０の天面に指が触れられると、一部の表示が、操作ダイヤル１１０で設定される項目の設定値の表示に切り替わる。図４０は、バッテリー残量の表示、及び、撮影可能枚数の表示を、操作ダイヤル１１０で設定される項目の設定値の表示、すなわち、シャッタースピードの表示に切り替えた場合の例を示している。
【０３６０】
なお、図４０に示す例では、操作ダイヤル１１０で設定される項目の設定値の情報ｉｄを枠線ｆｌで囲んで表示している。これにより、操作ダイヤル１１０で設定される項目の設定値を容易に区別できる。
【０３６１】
このように、サブディスプレー１６の表示の一部をダイヤルディスプレー１３２の表示に切り替えてもよい。ユーザーは、サブディスプレー１６の表示を確認することにより、操作ダイヤル１１０によって設定される項目の設定値を確認できる。また、本例の場合、その他の情報も確認できる。
【０３６２】
《第３の表示形態》
操作ダイヤルの天面に指が触れられていない場合のサブディスプレー及びダイヤルディスプレーの表示は、上記第１の表示形態と同じである（図３８参照）。
【０３６３】
図４１は、操作ダイヤルの天面に指が触れられた場合のサブディスプレー及びダイヤルディスプレーの表示の他の一例を示す図である。
【０３６４】
同図に示すように、操作ダイヤル１１０の天面に指が触れられると、ダイヤルディスプレー１３２は、設定値の表示が消え、かつ、背景色が反転される。
【０３６５】
一方、サブディスプレー１６は、操作ダイヤル１１０の天面に指が触れられると、元の表示が縮小され、余白領域に操作ダイヤル１１０で設定される項目の設定値が表示される。元の表示とは、操作ダイヤル１１０の天面に指が触れられていない場合の表示のことである。図３８に示すように、操作ダイヤルの天面に指が触れられていない場合、サブディスプレー１６には、絞り値の情報ｉ２、ＩＳＯ感度の情報ｉ３、露出補正値の情報ｉ４、撮影モードの情報ｉ５、バッテリー残量の情報ｉ６、及び、撮影可能枚数の情報ｉ７が表示される。操作ダイヤル１１０の天面に指が触れられると、これらの情報が、あらかじめ定められた縮小率で全体的に縮小され、かつ、前方移動して表示される。そして、後方に形成される余白領域に操作ダイヤル１１０で設定される項目の設定値、すなわち、シャッタースピードの設定値が表示される。
【０３６６】
なお、図４１に示す例では、操作ダイヤル１１０で設定される項目の設定値の情報ｉｄを枠線ｆｌで囲んで表示している。これにより、操作ダイヤル１１０で設定される項目の設定値を容易に区別できる。
【０３６７】
本例の場合も、ユーザーは、サブディスプレー１６の表示を確認することにより、操作ダイヤル１１０によって設定される項目の設定値を確認できる。
【０３６８】
以上説明したように、本実施の形態のデジタルカメラによれば、操作ダイヤル１１０の天面に指が触れられると、操作ダイヤル１１０で設定される項目の設定値がサブディスプレー１６に表示される。これにより、操作ダイヤル１１０で設定される項目の設定値を容易に確認でき、良好な操作性を確保できる。
【０３６９】
なお、上記実施の形態では、操作ダイヤル１１０の天面に指が触れられると、表示が切り替えられる構成としているが、一定時間継続して触れられると、表示が切り替えられる構成としてもよい。たとえば、２秒以上継続して操作ダイヤル１１０の天面に指が触れられると、表示が切り替えられるようにしてもよい。
【０３７０】
また、操作ダイヤル１１０による設定値の変更の有効と無効とを切り替える方法は、上記第１又は第２の実施の形態のいずれの方法であってもよい。第１の実施の形態の方法の場合、天面に触れながら操作ダイヤル１１０を操作した場合にのみ、操作ダイヤル１１０の操作が有効にされる。一方、第２の実施の形態の方法の場合、操作ダイヤル１１０の天面に触れるたびに、操作ダイヤル１１０による設定値の変更の有効と無効とが交互に切り替えられる。第１の実施の形態の方法で切り替える場合、操作中、天面の表示が隠れるので、特に有効に作用する。
【０３７１】
なお、第２の実施の形態の方法で操作ダイヤル１１０による設定値の変更の有効と無効とを切り替える場合、設定値の変更が有効な場合と無効な場合とでダイヤルディスプレー１３２の表示を切り替えてもよい。たとえば、操作ダイヤル１１０による設定値の変更が有効な場合と無効な場合とで色を反転させて表示してもよい。これにより、操作ダイヤル１１０がロックされているか否かを一目で把握できる。
【０３７２】
〔第８の実施の形態〕
本実施の形態のデジタルカメラも操作ダイヤルにダイヤルディスプレーを備え、そのダイヤルディスプレーに操作ダイヤルで設定される項目の設定値が表示される点で上記第６の実施の形態のデジタルカメラと共通する。
【０３７３】
本実施の形態のデジタルカメラでは、操作ダイヤルの天面に指が触れられると、指が触れた位置を避けて、操作ダイヤルで設定される項目の設定値がダイヤルディスプレーに表示される。
【０３７４】
図４２は、操作ダイヤルの天面に指が触れられた場合のサブディスプレー及びダイヤルディスプレーの表示の一例を示す図である。
【０３７５】
なお、操作ダイヤルの天面に指が触れられていない場合のサブディスプレー及びダイヤルディスプレーの表示は、上記第６の実施の形態のデジタルカメラと同じである（図３８参照）。
【０３７６】
図４２に示すように、操作ダイヤル１１０の天面に指が触れられると、指が触れた位置を避けて、操作ダイヤル１１０で設定される項目の設定値の情報ｓ２が、ダイヤルディスプレー１３２に表示される。サブディスプレー１６の表示は変わらない。
【０３７７】
これにより、ダイヤルディスプレー１３２に表示される情報が見えなくなるのを防止でき、良好な操作性を確保できる。
【０３７８】
なお、本例の場合、指が触れた領域を検出する必要がある。このため、操作ダイヤル１１０に備えられるタッチセンサー１３０には、接触を検出するだけでなく、接触した領域を検出する機能が備えられる。特に、ダイヤルディスプレー１３２の表示面内で指が接触された領域を検出する機能が備えられる。
【０３７９】
ダイヤルディスプレー表示制御部１３４は、タッチセンサー１３０の検出結果に基づき、接触が検出された領域を避けて、操作ダイヤル１１０で設定される項目の設定値の情報をダイヤルディスプレー１３２に表示する。この際、ダイヤルディスプレー表示制御部１３４は、操作ダイヤル１１０で設定される項目の設定値の情報の表示サイズを調整して、ダイヤルディスプレー１３２に表示する。すなわち、接触が検出されていない領域に表示できるサイズに調整して、操作ダイヤル１１０で設定される項目の設定値の情報をダイヤルディスプレー１３２に表示する。
【０３８０】
なお、ダイヤルディスプレー１３２の表示面の大部分に指が触れている場合、実質的に情報の表示は不能になる。したがって、指に触れていない領域が一定面積以上の場合に限定して、操作ダイヤル１１０で設定される項目の設定値の情報をダイヤルディスプレー１３２に表示する構成としてもよい。
【０３８１】
このように、本実施の形態のデジタルカメラによれば、操作ダイヤル１１０の天面に指が触れられると、指が触れた位置を避けて、操作ダイヤル１１０で設定される項目の設定値が、ダイヤルディスプレー１３２に表示される。これにより、操作ダイヤル１１０で設定される項目の設定値を容易に確認でき、良好な操作性を確保できる。
【０３８２】
なお、上記実施の形態では、操作ダイヤル１１０の天面に指が触れられると、表示が切り替えられる構成としているが、一定時間継続して触れられると、表示が切り替えられる構成としてもよい。たとえば、２秒以上継続して操作ダイヤル１１０の天面に指が触れられると、表示が切り替えられるようにしてもよい。
【０３８３】
また、操作ダイヤル１１０による設定値の変更の有効と無効とを切り替える方法は、上記第１又は第２の実施の形態のいずれの方法であってもよい。第１の実施の形態の方法の場合、天面に触れながら操作ダイヤル１１０を操作した場合にのみ、操作ダイヤル１１０の操作が有効にされる。一方、第２の実施の形態の方法の場合、操作ダイヤル１１０の天面に触れるたびに、操作ダイヤル１１０による設定値の変更の有効と無効とが交互に切り替えられる。第１の実施の形態の方法で切り替える場合、操作中、天面の表示が隠れるので、特に有効に作用する。
【０３８４】
なお、第２の実施の形態の方法で操作ダイヤル１１０による設定値の変更の有効と無効とを切り替える場合、設定値の変更が有効な場合と無効な場合とでダイヤルディスプレー１３２の表示を切り替えてもよい。たとえば、操作ダイヤル１１０による設定値の変更が有効な場合と無効な場合とで色を反転させて表示してもよい。これにより、操作ダイヤル１１０がロックされているか否かを一目で把握できる。
【０３８５】
また、上記実施の形態では、接触が検出されている間、接触が検出されていない領域に操作ダイヤル１１０で設定される項目の設定値の情報ｓ２を表示しているが、接触が検出されている間、操作ダイヤル１１０で設定される項目の設定値の情報ｓ２を既定の位置にずらして表示してもよい。通常の操作ダイヤルの操作形態を特定できる場合は、操作によって表示が指で隠れる位置も想定できる。したがって、このような場合は、接触が検出されている間、操作ダイヤル１１０で設定される項目の設定値の情報ｓ２を既定の位置にずらして表示する。この際、必要に応じて表示サイズを縮小して表示する。これにより、実質的に接触された領域を避けて、操作ダイヤル１１０で設定される項目の設定値の情報ｓ２をダイヤルディスプレー１６に表示できる。操作ダイヤルの回転中心への接触を検出する場合は、本例のように、接触が検出されている間、ダイヤルディスプレー１６に表示する情報を既定の位置にずらして表示する。
【０３８６】
〔第９の実施の形態〕
本実施の形態のデジタルカメラは、操作ダイヤルで設定する項目が、撮影モードに応じて、自動的に切り替わる。この点で上記第３の実施の形態のデジタルカメラと共通するが、撮影モードを切り替える方法が異なる。本実施の形態のデジタルカメラでは、操作ダイヤルの天面をスワイプする操作によって、撮影モードが切り替えられる。スワイプする操作とは、天面に指を触れたまま特定の方向に撫でるように動かす操作のことをいう。
【０３８７】
なお、デジタルカメラの基本構成は、上述した第５の実施の形態のデジタルカメラと同じである。すなわち、操作ダイヤル１１０の天面には、ダイヤルディスプレー１３２と、そのダイヤルディスプレー１３２の表示面への接触を検出するタッチセンサー１３０が備えられる。タッチセンサー１３０は、接触の検出に加えて、スワイプ操作を検出可能に構成される。
【０３８８】
図４３は、本実施の形態のデジタルカメラにおけるサブディスプレー及びダイヤルディスプレーの表示の一例を示す図である。
【０３８９】
同図に示すように、ダイヤルディスプレー１３２には、現在設定されている撮影モードの情報ｓ３、及び、操作ダイヤル１１０で設定される項目の設定値の情報ｓ２が表示される。
【０３９０】
図４３には、現在設定されている撮影モードが、シャッタースピード優先である場合の例が示されている。撮影モードがシャッタースピード優先である場合、操作ダイヤル１１０で設定される項目はシャッタースピードとなる。
【０３９１】
したがって、この場合、ダイヤルディスプレー１３２には、現在設定されている撮影モードがシャッタースピード優先であることを示す情報（ｓ３）、及び、現在設定されているシャッタースピードの情報（ｓ２）が表示される。
【０３９２】
現在設定されている撮影モードがシャッタースピード優先の場合、図４３に示すように、現在設定されている撮影モードの情報ｓ３として、記号「Ｓ」が表示される。なお、図４３は、現在設定されているシャッタースピードが１／６０秒の場合の例を示している。この場合、操作ダイヤル１１０で設定される項目の設定値の情報ｓ２として、「１／６０」と表示される。
【０３９３】
サブディスプレー１６には、操作ダイヤル１１０で設定される項目以外の情報が表示される。このサブディスプレー１６に表示される情報には、少なくとも操作ダイヤル１１０で設定可能な項目の設定値の情報が含まれる。
【０３９４】
現在設定されている撮影モードが、シャッタースピード優先の場合、図４３に示すように、サブディスプレー１６には、シャッタースピード及び撮影モード以外の情報、すなわち、絞り値、ＩＳＯ感度、及び、露出補正値の各情報ｉ２〜ｉ４が表示される。加えて、本実施の形態のデジタルカメラでは、サブディスプレー１６にバッテリー残量の情報ｉ６、及び、撮影可能枚数の情報ｉ７が表示される。
【０３９５】
図４４は、操作ダイヤルの天面へのスワイプ操作によって撮影モードを切り替える方法を説明する図である。
【０３９６】
本実施の形態のデジタルカメラにおいて、撮影モードは、操作ダイヤル１１０の天面を横方向にスワイプすることによって切り替えられる。
【０３９７】
撮影モード設定部は、タッチセンサー１３０からの出力に基づいて、撮影モードの切り替えを行う。
【０３９８】
ここで、撮影モードは、操作ダイヤル１１０の天面を右方向にスワイプすると、プログラム、シャッタースピード優先、絞り優先、マニュアルの順で切り替えられる。また、操作ダイヤル１１０の天面を左方向にスワイプすると、逆の順で切り替えられる。すなわち、マニュアル、絞り優先、シャッタースピード優先、プログラムの順で切り替えられる。たとえば、現在選択されている撮影モードが、シャッタースピード優先の場合、操作ダイヤル１１０の天面を右方向にスワイプすると、絞り優先に切り替えられる。
【０３９９】
図４４は、撮影モードの切り替え途中のダイヤルディスプレー１３２の表示を示している。具体的には、シャッタースピード優先から絞り優先に切り替わる途中のダイヤルディスプレー１３２の表示を示している。同図に示すように、ダイヤルディスプレー１３２の表示は、スクロールして切り替わる。
【０４００】
図４５は、ダイヤルディスプレーの表示のスクロールの概念図である。
【０４０１】
同図に示すように、操作ダイヤル１１０の天面を横方向にスワイプ操作することにより、ダイヤルディスプレー１３２の表示画面の内容が横方向に移動して、表示が切り替わる。画面の内容は、スワイプした方向に移動する。
【０４０２】
図４６は、各撮影モードでのダイヤルディスプレーの表示の一例を示す図である。
【０４０３】
同図（Ａ）は、撮影モードがプログラムである場合のダイヤルディスプレー１３２の表示画面を示している。
【０４０４】
撮影モードがプログラムに設定されると、操作ダイヤル１１０で設定する項目は、プログラムシフトに設定される。この場合、ダイヤルディスプレー１３２には、現在設定されている撮影モードがプログラムであることを示す情報、及び、現在設定されているシャッタースピード及び絞り値の情報が表示される。図４６（Ａ）に示す例では、現在設定されている撮影モードがプログラムであることを示す情報として、記号「Ｐ」を表示している。また、図４６（Ａ）は、現在設定されているシャッタースピードが１／６０秒、絞り値がＦ５．６の場合の例を示している。
【０４０５】
図４６（Ｂ）は、撮影モードがシャッタースピード優先ある場合のダイヤルディスプレー１３２の表示画面を示している。
【０４０６】
撮影モードがシャッタースピード優先に設定されると、操作ダイヤル１１０で設定する項目は、シャッタースピードに設定される。この場合、ダイヤルディスプレー１３２には、現在設定されている撮影モードが、シャッタースピード優先であることを示す情報、及び、現在設定されているシャッタースピードの情報が表示される。図４６（Ｂ）に示す例では、現在設定されている撮影モードがシャッタースピード優先であることを示す情報として、記号「Ｓ」を表示している。また、図４６（Ｂ）は、現在設定されているシャッタースピードが１／６０秒の場合の例を示している。
【０４０７】
図４６（Ｃ）は、撮影モードが絞り優先ある場合のダイヤルディスプレー１３２の表示画面を示している。
【０４０８】
撮影モードが絞り優先に設定されると、操作ダイヤル１１０で設定する項目は、絞り値に設定される。この場合、ダイヤルディスプレー１３２には、現在設定されている撮影モードが、絞り優先であることを示す情報、及び、現在設定されている絞り値の情報が表示される。図４６（Ｃ）に示す例では、現在設定されている撮影モードが絞り優先であることを示す情報として、記号「Ａ」を表示している。また、図４６（Ｃ）は、現在設定されている絞り値がＦ５．６の場合の例を示している。
【０４０９】
図４６（Ｄ）は、撮影モードがマニュアルである場合のダイヤルディスプレー１３２の表示画面を示している。
【０４１０】
撮影モードがマニュアルに設定されると、操作ダイヤル１１０で設定する項目は、シャッタースピード又は絞り値に設定される。いずれに設定するかはユーザーの設定による。ユーザーがシャッタースピードを選択している場合、操作ダイヤルで設定する項目はシャッタースピードに設定される。この場合、絞り値の設定は、リアコマンドダイヤル４１で行われる。また、ユーザーが絞り値を選択している場合、操作ダイヤルで設定する項目は絞り値に設定される。この場合、シャッタースピードの設定は、リアコマンドダイヤル４１で行われる。
【０４１１】
操作ダイヤル１１０で設定する項目がシャッタースピードの場合、ダイヤルディスプレー１３２には、現在設定されている撮影モードがマニュアルであることを示す情報、及び、現在設定されているシャッタースピードの情報が表示される。一方、操作ダイヤル１１０で設定する項目が絞り値の場合、ダイヤルディスプレー１３２には、現在設定されている撮影モードがマニュアルであることを示す情報、及び、現在設定されている絞り値の情報が表示される。図４６（Ｄ）に示す例では、操作ダイヤル１１０で設定する項目がシャッタースピードの場合の例を示している。また、図４６（Ｄ）に示す例では、現在設定されている撮影モードがマニュアルであることを示す情報として、記号「Ｍ」を表示している。また、図４６（Ｄ）は、現在設定されているシャッタースピードが１／６０の場合の例を示している。
【０４１２】
撮影モードは、操作ダイヤル１１０の天面を右方向にスワイプすることにより、プログラム、シャッタースピード優先、絞り優先、マニュアルの順で切り替えられる。
【０４１３】
上記のように、撮影モード設定部は、タッチセンサー１３０からの出力に基づいて、撮影モードの切り替えを行う。設定項目設定部１５８は、撮影モード設定部で設定された撮影モードに応じて、操作ダイヤル１１０によって設定する項目を設定する。
【０４１４】
サブディスプレー表示制御部７２Ａは、設定された撮影モードに応じて、サブディスプレー１６の表示を制御する。同様に、ダイヤルディスプレー表示制御部１３４は、設定された撮影モードに応じてダイヤルディスプレー１３２の表示を制御する。
【０４１５】
以上説明したように、本実施の形態のデジタルカメラによれば、操作ダイヤル１１０の天面をスワイプする操作によって、撮影モードを切り替えられる。これにより、簡単に操作モードを切り替えられる。また、ダイヤルディスプレー１３２には、設定される撮影モードの情報も表示されるので、視覚的にも簡単に切り替えができる。更に、ダイヤルディスプレー１３２には、操作ダイヤル１１０で設定される項目の設定値の情報も表示されるので、良好な操作性を実現できる。
【０４１６】
なお、上記実施の形態では、操作ダイヤルの天面をスワイプする操作によって、撮影モードを切り替える構成としているが、フリックする操作によって、操作モードを切り替える構成とすることもできる。フリックとは、天面に指を触れた後、弾くように動かす操作のことをいう。
【０４１７】
また、操作ダイヤル１１０による設定値の変更の有効と無効とを切り替える方法は、上記第１又は第２の実施の形態のいずれの方法であってもよい。第１の実施の形態の方法の場合、天面に触れながら操作ダイヤル１１０を操作した場合にのみ、操作ダイヤル１１０の操作が有効にされる。一方、第２の実施の形態の方法の場合、操作ダイヤル１１０の天面に触れるたびに、操作ダイヤル１１０による設定値の変更の有効と無効とが交互に切り替えられる。第１の実施の形態の方法で切り替える場合、操作中、天面の表示が隠れるので、特に有効に作用する。
【０４１８】
また、第２の実施の形態の方法で操作ダイヤル１１０による設定値の変更の有効と無効とを切り替える場合、設定値の変更が有効な場合と無効な場合とでダイヤルディスプレー１３２の表示を切り替えてもよい。たとえば、操作ダイヤル１１０による設定値の変更が有効な場合と無効な場合とで色を反転させて表示してもよい。これにより、操作ダイヤル１１０がロックされているか否かを一目で把握できる。
【０４１９】
なお、ダイヤルディスプレー１３２の表示面に指が触れると、指で表示が見えにくくなる場合がある。したがって、たとえば、一定時間以上継続して同じ位置に指が触れられた場合は、指が触れられている位置を避けて表示する構成としてもよい。
【０４２０】
図４７は、一定時間以上継続して同じ位置に指が触れられた場合のダイヤルディスプレーの表示の一例を示す図である。
【０４２１】
同図に示すように、一定時間以上継続して同じ位置に指が触れられた場合、指が触れられている位置を避けて、ダイヤルディスプレー１３２に表示する情報を表示する。この場合、タッチセンサーには、指が触れた領域を検出する機能が備えられる。
【０４２２】
〔その他の実施の形態〕
［操作ダイヤルで設定する項目］
上記各実施の形態では、操作ダイヤルでシャッタースピード、絞り値、ＩＳＯ感度、露出補正値、及び、撮影モードを設定する場合を例に説明したが、操作ダイヤルで設定する項目は、これに限定されるものではない。デジタルカメラに備えられる機能に応じて適宜設定できる。
【０４２３】
［接触検出部の変形例］
上記実施の形態では、接触検出部をタッチセンサーで構成しているが、接触検出部の構成は、これに限定されるものではない。
【０４２４】
また、接触のみを検出する場合は、接触検出領域を一部に限定してもよい。たとえば、操作ダイヤルの天面の中央部分に限定してもよい。
【０４２５】
［接触の検出の変形例］
接触の検出については、いわゆる不感帯を設けてもよい。すなわち、瞬間的な指の接触については、検出しない構成とすることが好ましい。同様に瞬間的に指が離された場合も検出しない構成とすることが好ましい。
【０４２６】
不感帯を設けるためには、たとえば、一定の時間間隔で接触を検出する構成にする。この場合、連続して接触が検出されたか否かを判定して、接触の有無を判定する。連続して接触が検出されている場合、接触していると判定する。瞬間的な接触の場合、連続して接触が検出されないので、検出を排除できる。また、瞬間的に指を離した場合も、次の検出までに指が触れていれば、接触が継続しているものと認定できる。
【０４２７】
このように、持続時間も判断してヒステリシスを持たせて応答させることにより、より安定した動作が可能になる。
【０４２８】
［操作ダイヤルによる設定値の変更が有効な場合と無効な場合の表示形態の他の例］
上記実施の形態では、操作ダイヤルによる設定値の変更が無効である場合、サブディスプレーにロックマークを表示する構成としているが、操作ダイヤルによる設定値の変更が無効であることをサブディスプレーで告知する方法は、これに限定されるものではない。たとえば、サブディスプレーの背景色を変えることにより、操作ダイヤルによる設定値の変更が無効であることを告知してもよい。
【０４２９】
［操作ダイヤルによる設定値の変更が無効なことを告知する方法の他の例］
（１）音による告知
デジタルカメラにスピーカー等の音声出力部が備えられている場合は、その音声出力部を利用して、操作ダイヤルによる設定値の変更が無効であることをユーザーに告知できる。たとえば、操作ダイヤルによる設定値の変更が無効な場合に、操作ダイヤルが回転操作されると、音声出力部から告知音、警告音等の音声が出力される構成とする。この場合、デジタルカメラには音声出力制御部が備えられる。音声出力制御部は、操作ダイヤルによる設定値の変更が無効な状態で操作ダイヤルが回転操作されたことを検出すると、音声出力部から告知音、警告音等の音声を出力させる。
【０４３０】
また、デジタルカメラにスピーカー等の音声出力部が備えられている場合、操作ダイヤルの回転操作に連動して、擬似的な回転操作音を出力させてもよい。この場合、操作ダイヤルによる設定値の変更が有効な場合と無効な場合とで回転操作音を切り替えてもよい。あるいは、操作ダイヤルによる設定値の変更が有効な場合だけ回転操作音を出力させてもよい。
【０４３１】
（２）メインディスプレーでの告知
上記実施の形態のデジタルカメラのように、カメラボディにメインディスプレーが備えられている場合、メインディスプレーに操作ダイヤルの状態を表示してもよい。すなわち、操作ダイヤルによる設定値の変更が有効か否かをメインディスプレーに表示してもよい。カメラボディに電子ビューファインダーを備えている場合には、電子ビューファインダーにも同様の表示を行ってもよい。
【０４３２】
［ダイヤル表示部の他の形態］
上記実施の形態では、ダイヤル表示部の一例としてのダイヤルディスプレーの形状を円形状としているが、ダイヤル表示部の形状は、これに限定されるものではない。たとえば、矩形状、多角形状としてもよい。
【０４３３】
図４８は、矩形状のダイヤル表示部を有する操作ダイヤルの平面図である。
【０４３４】
同図に示す操作ダイヤル１１０は、ダイヤル表示部の一例であるダイヤルディスプレー１３２が矩形状の表示面を有している。
【０４３５】
このように、ダイヤル表示部の形状は、必ずしも操作ダイヤルの天面の形状（内周部１１２の上端面の形状）に合致した形状にする必要はなく、種々の形状を採用できる。
【０４３６】
［ダイヤル表示部の他の例］
上記実施の形態では、ダイヤル表示部を構成するダイヤルディスプレーをＬＣＤで構成しているが、ダイヤル表示部を構成するダイヤルディスプレーは、これに限定されるものではない。この他、たとえば、電子ペーパー、メモリ液晶ディスプレー、有機ＥＬディスプレー（EL:ElectroLuminescent）等の自発光式ディスプレー等でダイヤルディスプレーを構成することもできる。
【０４３７】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であってもダイヤル表示部の表示を確認できる。
【０４３８】
また、ダイヤルディスプレーをＬＣＤで構成する場合、反射型ＬＣＤで構成することにより、明るい環境でも良好な視認性を確保できる。なお、ダイヤルディスプレーを反射型ＬＣＤで構成する場合、照明を備えることが好ましい。
【０４３９】
表示部であるサブディスプレーについても同様に、電子ペーパー、メモリ液晶ディスプレー、有機ＥＬディスプレー等の自発光式ディスプレー等で構成できる。
【０４４０】
［操作ダイヤルに対する表示部の配置の他の例］
上記実施の形態では、カメラボディ１０の天面において、操作ダイヤル１１０の左斜め前側の位置にサブディスプレー１６を配置しているが、操作ダイヤル１１０に対するサブディスプレー１６の配置位置は、これに限定されるものではない。
【０４４１】
ただし、操作ダイヤル１１０に対してサブディスプレー１６を離れた位置に配置すると、操作性及び視認性が損なわれるので、サブディスプレー１６は、操作ダイヤル１１０の近傍に配置することが好ましい。
【０４４２】
ここで、近傍とは、図３に示すように、サブディスプレー１６と操作ダイヤル１１０とが隣接して配置される程度の距離関係をいう。
【０４４３】
サブディスプレー１６を操作ダイヤル１１０の近傍に配置することにより、両者の連関性を高めて、より良好な操作性を提供できる。すなわち、サブディスプレー１６を操作ダイヤル１１０の近傍に配置することにより、操作ダイヤル１１０のすぐ近くで設定を確認できるので、操作ダイヤルあるいはダイヤルディスプレーを見ながら操作する際に視線移動を少なくでき、ストレスのない良好な操作性を提供できる。また、直感的な操作も実現できる。
【０４４４】
また、サブディスプレー１６を操作ダイヤル１１０の近傍に配置した場合、操作ダイヤル１１０の右側よりも左側、下側よりも上側に配置した方が、操作ダイヤル１１０を操作する手によって隠されにくいので、操作性の観点では好ましい。
【０４４５】
図４９は、操作ダイヤル及びサブディスプレーのレイアウトの他の一例を示す平面図である。
【０４４６】
同図に示す例では、カメラボディ１０の天面において、操作ダイヤル１１０の左側の位置にサブディスプレー１６を配置している。これにより、操作ダイヤル１１０を操作する手の指でサブディスプレー１６の表示が隠れるのを防止できる。
【０４４７】
図５０は、操作ダイヤル及びサブディスプレーのレイアウトの他の一例を示す平面図である。
【０４４８】
同図に示す例では、カメラボディ１０の天面において、操作ダイヤル１１０の前側の位置にサブディスプレー１６を配置している。なお、同図に示す例では、カメラボディ１０の天面に複数のダイヤルＤ１、Ｄ２を備えた例を示している。また、同図に示す例では、操作ダイヤル１１０の外径及びサブディスプレーの画面サイズを小さくしている。このように、操作ダイヤルの外径及びサブディスプレーの画面サイズは、カメラボディのサイズ等に応じて、適宜設定できる。
【０４４９】
［その他の変形例］
上記実施の形態では、操作ダイヤルの回転をロータリーエンコーダーで検出する構成としているが、操作ダイヤルの回転を検出する構成は、これに限定されるものではない。この他、たとえば、回転ブラシ等を利用した公知の回転検出手段を採用することもできる。
【０４５０】
また、上記実施の形態では、クリック溝板金とクリックボールとで操作ダイヤルのクリック機構を構成しているが、クリック機構の構成は、これに限定されるものではない。この他、板バネ等を利用した公知のクリック機構を採用することもできる。
【０４５１】
また、上記実施の形態では、本発明をデジタルカメラに適用した場合を例に説明したが、本発明の適用は、これに限定されるものではない。銀塩フイルムを使用したカメラにも同様に適用できる。また、カメラ機能を備えた電子機器にも適用できる。
【０４５２】
また、上記実施の形態では、レンズ交換式のカメラに本発明を適用した場合を例に説明したが、レンズ一体式のカメラにも同様に適用できる。
【０４５３】
更に、上記実施の形態では、ノンレフレックス型のカメラに本発明を適用した場合を例に説明したが、レフレックス型のカメラにも同様に適用できる。
【符号の説明】
【０４５４】
１  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３４  再生ボタン
３５  消去ボタン
３６  ＡＦロックボタン
３７  ＡＥロックボタン
３８  メニューボタン
３９  セレクターボタン
４０  ＢＡＣＫボタン
４１  リアコマンドダイヤル
４２  モードダイヤル
４２ａ  指標
４３  設定項目切替ボタン
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７２Ａ  サブディスプレー表示制御部
７４  操作部
７８  メモリーカード
８０  システムコントローラー
１１０  操作ダイヤル
１１２  内周部
１１２Ａ  支柱部
１１４  外周部
１１４Ａ  軸部
１１６  操作ダイヤル支持フレーム
１１６Ａ  クリックボール収容穴
１１８  軸受
１２０  クリック機構
１２０Ａ  クリック溝板金
１２０Ｂ  クリックボール
１２０Ｃ  クリックバネ
１２０ａ  クリック溝
１２６  回転検出部
１３０  タッチセンサー
１３２  ダイヤルディスプレー
１３４  ダイヤルディスプレー表示制御部
１３６  ダイヤルディスプレー駆動部
１５０  設定システム
１５２  切替部
１５４  設定値変更部
１５６  設定項目選択部
１５８  設定項目設定部
１６０  撮影モード設定部
１６２  設定項目切替指示部
Ｌ  光軸
Ｓ１１〜Ｓ１４  操作ダイヤルを用いた設定変更の手順
Ｓ２１〜Ｓ２５  切替部の動作手順
Ｓ３１〜Ｓ３４  操作ダイヤルを用いた設定変更の手順
ｆｌ  枠線
ｉ１  シャッタースピードの情報
ｉ２  絞り値（Ｆ値）の情報
ｉ３  ＩＳＯ感度の情報
ｉ４  露出補正値の情報
ｉ５  撮影モードの情報
ｉ６  バッテリー残量の情報
ｉ７  撮影可能枚数の情報
ｉｄ  操作ダイヤルで設定される項目の設定値の情報
ｍ１  ロックマーク
ｍ２  選択マーク
ｓ１  操作ダイヤルで設定される項目の情報
ｓ２  操作ダイヤルで設定される項目の設定値の情報
ｓ３  現在設定されている撮影モードの情報
【図１】
0006664489.tif 000002
【図２】
0006664489.tif 000003
【図３】
0006664489.tif 000004
【図４】
0006664489.tif 000005
【図５】
0006664489.tif 000006
【図６】
0006664489.tif 000007
【図７】
0006664489.tif 000008
【図８】
0006664489.tif 000009
【図９】
0006664489.tif 000010
【図１０】
0006664489.tif 000011
【図１１】
0006664489.tif 000012
【図１２】
0006664489.tif 000013
【図１３】
0006664489.tif 000014
【図１４】
0006664489.tif 000015
【図１５】
0006664489.tif 000016
【図１６】
0006664489.tif 000017
【図１７】
0006664489.tif 000018
【図１８】
0006664489.tif 000019
【図１９】
0006664489.tif 000020
【図２０】
0006664489.tif 000021
【図２１】
0006664489.tif 000022
【図２２】
0006664489.tif 000023
【図２３】
0006664489.tif 000024
【図２４】
0006664489.tif 000025
【図２５】
0006664489.tif 000026
【図２６】
0006664489.tif 000027
【図２７】
0006664489.tif 000028
【図２８】
0006664489.tif 000029
【図２９】
0006664489.tif 000030
【図３０】
0006664489.tif 000031
【図３１】
0006664489.tif 000032
【図３２】
0006664489.tif 000033
【図３３】
0006664489.tif 000034
【図３４】
0006664489.tif 000035
【図３５】
0006664489.tif 000036
【図３６】
0006664489.tif 000037
【図３７】
0006664489.tif 000038
【図３８】
0006664489.tif 000039
【図３９】
0006664489.tif 000040
【図４０】
0006664489.tif 000041
【図４１】
0006664489.tif 000042
【図４２】
0006664489.tif 000043
【図４３】
0006664489.tif 000044
【図４４】
0006664489.tif 000045
【図４５】
0006664489.tif 000046
【図４６】
0006664489.tif 000047
【図４７】
0006664489.tif 000048
【図４８】
0006664489.tif 000049
【図４９】
0006664489.tif 000050
【図５０】
0006664489.tif 000051